(57)【要約】【課題】スキン・トリートメント用品を提供する。【解決手段】第１の面と、第２の面と、エッジ部と、を備えている、スキン・トリートメント用品は、カスタマイズ可能であって触知可能な刺激、を与える。上記第１の面は、上記エッジ部の間に延在している複数の線、を含み、これらの線は、約０．１〜２ｍｍの太さと、約１〜２０ｍｍの間隔と、を有している。【選択図】図１
2008023327.tif 000002
【特許請求の範囲】
【請求項１】
スキン・トリートメント用品において、
第１の面と、
第２の面と、
エッジ部と、
を備えており、
前記第１の面は、前記エッジ部の相互間に延在している複数の線を含み、
これらの線は、約０．１〜２ｍｍの太さと、約１〜２０ｍｍの間隔と、を有している、用品。
【請求項２】
請求項１に記載の用品において、
前記線は、平行である、用品。
【請求項３】
請求項１に記載の用品において、
前記線は、真っ直ぐである、用品。
【請求項４】
請求項１に記載の用品において、
前記線は、波形である、用品。
【請求項５】
請求項１に記載の用品において、
前記線は、０．１〜１ｍｍの高さを有している、用品。
【請求項６】
請求項４に記載の用品において、
前記線は、２〜２０ｍｍの繰り返し部分を有している、用品。
【請求項７】
請求項４に記載の用品において、
前記線は、１〜６ｍｍの振幅を有している、用品。
【請求項８】
請求項１に記載の用品において、
前記第１の面は、第１の繊維質の層の外表面であり、
前記第２の面は、第２の繊維質の層の外表面である、用品。
【請求項９】
請求項８に記載の用品において、
前記第１の繊維質の層は、第１のスキン・トリートメント用の配合物を含み、
前記第２の繊維質の層は、第２のスキン・トリートメント用の配合物を含む、用品。
【請求項１０】
請求項９に記載の用品において、
前記第１および第２のスキン・トリートメント用の配合物は、クレンジング用配合物、コンディショニング用配合物、抗アクネ用配合物、加湿用配合物、しわ防止用配合物、抗菌性配合物、抗真菌性配合物、抗炎症性配合物、局所麻酔用配合物、人工日焼け用配合物、促進剤配合物、抗ウイルス性配合物、酵素配合物、サンスクリーン配合物、抗酸化薬配合物、皮膚剥離用配合物、脱毛剤配合物、およびこれらの混合物、から選択される、用品。
【発明の詳細な説明】
【開示の内容】
【０００１】
〔発明の分野〕
本発明は、皮膚に対して、調節可能で触知可能な刺激を送達するスキン・トリートメント用品および方法に関連する。
【０００２】
〔発明の背景〕
個人用のスキン・ケア製品は、多数のスキン・ケアの有益な効果のために、従来から、販売されている。異なるスキン・ケア製品は、異なる有益な効果を与えるので、消費者は、典型的には、多数の製品を別々に適用している。しかしながら、このことは、常に、好都合または実用的である、とは限らない。
【０００３】
異なる機能を有することに加えて、スキン・ケア製品は、バー・ソープ、クリーム、ローション、およびゲル、等のような、さまざまな形態においても、存在している。さらに、比較的に一般的ではないが、一度使用したら捨てる廃棄可能な形態も、幾つかの利点を有している。これらの形態は、これらが、じゃまな、ビン、バー、ジャー、またはチューブ、の必要性を取り除くので便利である。また、廃棄可能な形態は、他数回再利用することが意図されているスポンジ、洗面用タオル、または、他の用具の使用に対して、より衛生的な選択肢でもある。これらの用具は、バクテリアの成長、不快な臭い、および、繰り返された使用に関連する、他の望ましくない特徴を進展させる。
【０００４】
スキン・ケアの日課に従事している消費者は、用品の送達効力（delivery efficacy）だけでなく、使用中のその体験に対するさまざまな触覚刺激をも期待し、楽しむ。このことは、典型的には、液体または固体のスキン・ケア製品の中への粒状化された材料の添加によるか、または、下地／装置の上に特定のパターンで材料を供給することにより、行なわれ、これらの両方とも、使用中に、皮膚を剥離／研磨するテクスチャーを送達する。しかしながら、これらの方法では、触覚刺激の程度に関して全く制御手段を有しておらず、その刺激を増減させるために、製品を操作することができない。
【０００５】
上記の背景技術に鑑みて、多様な程度の触覚刺激を与えることのできるスキン・トリートメント用品に対する、要望が存在している。
【０００６】
スキン・トリートメント用品は、カスタマイズ可能または調節可能なテクスチャーを供給することができるということが分かっている。この用品は、付加的に、廃棄可能な形態であってもよい。特に、使用者は、皮膚に対して用品を配向または回転させることにより、その用品により与えられる触覚刺激を操作することが可能である。
【０００７】
〔発明の概要〕
本発明は、第１の面と、第２の面と、エッジ部と、を備えている、スキン・トリートメント用品において、上記第１の面は、上記エッジ部の相互間に延在している複数の線、を含み、これらの線は、約０．１〜２ｍｍの太さと、約１〜２０ｍｍの間隔と、を有している、スキン・トリートメント用品、に関連している。
【０００８】
また、本発明は、第１の面と、第２の面と、エッジ部と、を備えている、スキン・トリートメント用品であって、上記第１の面は、上記エッジ部の相互間に延在している複数の線、を含み、これらの線は、約０．１〜２ｍｍの太さと、約１〜２０ｍｍの間隔と、を有している、スキン・トリートメント用品、を使用して、皮膚を治療するための方法において、（ｉ）皮膚との所望の接触角度に、上記の線を調節するために、上記スキン・トリートメント用品を回転させる工程と、（ｉｉ）上記第１の面に皮膚を接触させる工程と、（ｉｉｉ）上記第２の面に皮膚を接触させる工程と、を含む、方法、にも関連している。
【０００９】
最後に、本発明は、第１の繊維質の層およびクレンジング用の配合物を含む第１の面と、第２の繊維質の層を含む第２の面と、エッジ部と、を備えている、スキン・トリートメント用品であって、上記第１の面は、上記エッジ部の相互間に延在している複数の線、を含み、これらの線は、約０．１〜２ｍｍの太さと、約１〜２０ｍｍの間隔と、を有している、スキン・トリートメント用品、を使用して、皮膚を治療するための方法において、（ｉ）皮膚または上記第１の面を湿らせる工程と、（ｉｉ）皮膚との所望の接触角度に上記の線を調節するために、上記スキン・トリートメント用品を回転させる工程と、（ｉｉｉ）上記第１の面に皮膚を接触させて、これにより、皮膚を浄化する工程と、（ｉｖ）上記第２の面に皮膚を接触させる工程と、を含む、方法、に関連している。
【００１０】
〔発明の詳細な説明〕
図１〜図５を参照して、本発明は、第１の面２０と、第２の面４０（図４に示されている）と、エッジ部３０と、を備えている、スキン・トリートメント用品１０、を提供している。このスキン・トリートメント用品１０は、本体部分７０と、中央部分９０と、遠位部分１００と、を備えていてよい。上記第１および第２の面は、エッジ部３０により、それぞれの周縁で接合されている（このエッジ部は、図１に示されているような、丸いスキン・トリートメント用品の場合には、単一の円形のエッジ部である）。
【００１１】
一実施形態では、上記第１および第２の面は、それぞれ、第１および第２の繊維質の層、２１および４１、の外表面である。これらの、第１および第２の繊維質の層は、当業界において知られている手段により、永久的にまたは一時的に（すなわち、使用者により分離されることが可能である）、接合されていてよい。典型的には、これらは、熱により、エッジ部３０に沿って溶融することにより付着されている。あるいは、これらの繊維質の層は、縫い合されるか、接着剤により接着されてもよい。図４に符号３１で示されている、ポケットを含む実施形態の場合には、その取り付けの方法が、そのポケットの中に使用者が少なくとも１本の指を挿入することを可能にする限りにおいては、任意の、ポケットを形成することを可能にする方法が使用できる。
【００１２】
上記第１の面は、複数の線５５をその面上に含んでいる。本明細書において用いられる場合に、「線」は、２点を結んでいる連続的な特徴である。これらの線は、直線状であっても波形であってもよく、この波形は、正弦波形またはこれ以外の湾曲した形状、である。好ましくは、これらの線は波形である。また、これらの線は、概ね同一の方向に、エッジ部の相互間に延在している。好ましくは、上記の線は、互いに平行である。
【００１３】
図５を参照して、上記の線は、それぞれ、約０．１〜２ｍｍ、好ましくは、約０．５〜１ｍｍ、の太さＡを有している。また、これらの線の間の間隔Ｂは、約１〜２０ｍｍ、好ましくは、約３〜１０ｍｍ、である。さらに、上記第１の面の上方の線の高さＣは、好ましくは、約０．１〜１ｍｍ、好ましくは約０．３〜０．４ｍｍである。
【００１４】
波形の線の場合に、これらの線は、約３〜２０ｍｍの繰り返し部分Ｄと、約１〜６ｍｍの振幅Ｅ（ピークからピークまで）と、を有している。
【００１５】
上記の線は上記第１の面と一体であってもよく、これらは上記第１の面の上に型押しされているか、これ以外の方法で付加されていてもよい。
【００１６】
随意に、上記第２の面も、その面上に、線を含んでいてよい。
【００１７】
上記の線は、上記スキン・トリートメント用品の第１の面（および、随意に、第２の面）に、調節可能なテクスチャーを与えるように、好都合に設計されている。本発明によれば、上記線の形状、寸法および間隔は、これらの線が、皮膚の所定の領域に対して、（例えば、水平の位置から垂直の位置へ）回転されると、上記第１の面が皮膚に接触する時に与えられる触覚刺激の程度が変化するようになっている。この第１の面を用いたマッサージ、こすり、または皮膚の剥離の強さは、これらの線と治療されている皮膚との間の接触角度を単純に調節することにより、要望に応じて、調節することができる。このことは、使用中に消費者が行なうことができる。
【００１８】
図面は、本発明の特定の実施形態を示しているが、別の実施形態も可能である。図１では、スキン・トリートメント用品１０は、直径がおよそ２．７５〜３．２５インチ（６．９９〜８．２６センチメートル）であり、３．２５〜３．７５インチ（８．２６〜９．５３センチメートル）の長さである。また、このスキン・トリートメント用品１０は、全体の形状は、丸形であっても、卵形であってもよい。また、上記ポケットの開口部は１．７５〜２．５０インチ（４．４５〜６．３５センチメートル）の幅であってよい。
【００１９】
上記用品は、随意に、ノッチ５０、または、いずれか一方の上記面の一つのエッジ部から材料が除去されている部分、を有していてよい。このノッチは、一般に、湾曲していてよく、あるいは、異なる形状を有していてよい。また、このノッチ５０は、上記第２の繊維質の層から切り取られていてよく、閉じられた状態を保ち、使用者の指の上に用品を配置することを補助する。図４に示されているように、使用時には、ノッチ５０を有しているスキン・トリートメント用品１０は、指が上記第１および第２の面の間に挿入される際に、使用者が、開口したポケット３１を形成することを可能にするであろう。このポケットは、開口部を通してアクセス可能であり、遠位部分１００に向かって、内側に延びている。なお、上記ポケットは、ミットの場合のように、手の挿入のために、意図されていないことに注意されたい。
【００２０】
一実施形態において、上記スキン・トリートメント用品は、第１および第２の、繊維質の層または別の種類の層と共に、これらの第１の層と第２の層との間に設けられた少なくとも一つの液体不透過性の層を備えている。この液体不透過性の層は独立した構成成分であってもよく、あるいは、この層は、第１の層または第２の層のいずれかとの複合体の一部であってもよい。あるいは、上記用品は、多数の液体不透過性の層、例えば、それぞれの層に付随している液体不透過性の層を備えていてもよい。特に好ましい実施形態において、上記スキン・トリートメント用品は、第１および第２の繊維質の層と、これら層の間に設けられた液体不透過性の層とを備えている。
【００２１】
一実施形態において、上記スキン・トリートメント用品は実質的に乾いている。すなわち、この用品は、実質的に水を含んでおらず、一般に、触れると、乾いている感じがする。また、この用品は、付加的に、個々に、保存またはラップされてもよい。さらに、この用品は、コンテナの中に、配置して積み重ねることもできる。また、別の実施形態において、スキン・トリートメント用品は湿っている。すなわち、このスキン・トリートメント用品は湿っていて、個々に、ラップされてもよい。
【００２２】
上記のスキン・トリートメント用品は、例えば、上述のような、第１および第２の繊維質の層等の、同一または異なる材料の、単一の層または多数の層により作ることができる。好ましくは、このスキン・トリートメント用品は、不織状の物質、織り状の物質、水の絡み合った物質、空気の絡み合った物質、重合体の網状メッシュ、等、を含むが、これらに限定されない、織り状または不織状の材料により作られている。一実施形態において、上記のスキン・トリートメント用品は、吸収剤または多孔質の材料を含んでいる。また、このスキン・トリートメント用品は、随意に、フィルム（例えば、穴あけした、または、穴あけしていない、フィルム）、発泡体、スポンジ（天然または合成）のような、非繊維質の材料を含んでいてよい。
【００２３】
上記のスキン・トリートメント用品は、水に不溶性の材料、すなわち、２５℃で蒸留水中に浸漬された場合に容易に溶解または分解しない材料を含んでいてもよい。しかしながら、このような水に不溶性の材料は、長時間が経過した場合、生体分解性になってもよい。
【００２４】
また、上記のスキン・トリートメント用品は、水で洗い流すことが可能であってよい。本明細書において用いられる場合に、「水で流すことが可能である」とは、材料が、２回のトイレの水洗で少なくとも１０フィートの排水管を通過することを意味する。
【００２５】
一実施形態において、上記のスキン・トリートメント用品は、不織材料により、構成されている。この不織材料は当業界において良く知られており、布に織られておらず、むしろ、シート層、マット層、またはパッド層に形成されている材料である。このような不織材料の繊維は、ランダムに位置して（すなわち、ランダムに整列されて）いてもよく、あるいは、これらの繊維は、梳かれて（すなわち、主に一つの方向に配向されるように、すきぐしで梳かれて）いてもよい。さらに、この不織材料は、ランダムな繊維層と梳かれている繊維層との組み合わせにより、構成されていてもよい。
【００２６】
上記の不織材料は、当業者に知られているような、１種類以上の結合剤を随意に含んでいてよい。これらの結合剤は、スプレー、ウェブ、独立した層、結合用の繊維、等、を含むが、これらに限定されない、多様な形態であってよい。適当な結合剤は、ラテックス、ポリアミド、ポリエステル、ポリオレフィン、およびこれらの組み合わせを含んでいてよい。
【００２７】
上記の不織材料は、多様な天然および／または合成の材料により作られていてもよい。「天然の」とは、材料が、植物、動物、または虫に由来するものであるか、植物、動物、または虫の副産物であることを意味する。「合成の」とは、材料が、さまざまな人工の材料から、あるいは、さらに変えられている天然の材料から、主に得られることを意味する。
【００２８】
天然材料の非限定的な例は、シルク繊維、ケラチン繊維（ウール繊維、キャメル・ヘア繊維等）、およびセルロース繊維（木材パルプ繊維、綿繊維、アサ繊維、ジュート繊維、アマ繊維、およびこれらの混合物）である。
【００２９】
合成材料の例は、アセテート繊維、アクリル繊維、セルロース・エステル繊維、アクリル系繊維、ポリアミド繊維、ポリエステル繊維、ポリオレフィン繊維、ポリビニル・アルコール繊維、レーヨン繊維、ポリエチレン発泡体、ポリウレタン発泡体、およびこれらの組み合わせから成る群から選択される材料を含むが、これらに限定されない。
【００３０】
本発明において有用な、天然または合成の材料から作られている繊維質の層は、アールストロム・グリーン・ベイ・ＬＬＣ（Ahlstrom Green Bay）（グリーン・ベイ、ウィスコンシン州）、フロイデンベルグ・アンド・カンパニー（Freudenberg & Co.）（ダルハム、ノース・カロライナ州、米国）、ＢＢＡ・ノンウーブンズ（BBA Nonwovens）（ナッシュビル、テネシー州、米国）、ＰＧＩ・ノンウーブンズ（PGI Nonwovens）（ノース・チャールストン、サウス・カロライナ州、米国）、およびバックアイ・テクノロジーズ（Buckeye Technologies）（メンフィス、テネシー州、米国）、を含む、さまざまな市場の供給元から、入手できる。
【００３１】
不織材料を作る方法もまた当業者に良く知られている。これらの方法は、エア−レイ処理、ウォーター−レイ処理、メルトブロー処理、スピンボンド処理、またはカーデイング処理を含むが、これらに限定されない。この結果として得られる物質は、その製造方法または組成に関わらず、その後、個々の繊維を一緒に固定して、自立しているウェブを形成するために、幾つかの種類の結合操作の内の少なくとも一つ、にかけられる。上記不織材料はまた、ハイドロエンタングルメント、熱結合、およびこれらの処理の組み合わせを含む、多様な処理により、調製することも可能である。
【００３２】
一実施形態において、上記不織材料は紙を基材としている。これらのための材料は、植物細胞の供給源（パルプ）からの、セルロース基材の繊維またはフィラメントが、ほとんど独占的である。また、これらは、新しい木材の削りくずから、あるいは、回収された材料（回収紙）から、入手可能である。
【００３３】
上記のスキン・トリートメント用品が、浄化のために用いられる場合には、上記不織材料の、高い湿潤強度または堅固さが望ましい属性になる可能性がある。このことは、例えば、湿潤強度樹脂等のような、結合材料の添加により、達成することもでき、あるいは、このような材料は、例えば、綿、ウール、リネン等、に基づいた短繊維により、作ることもできる。湿潤強度樹脂の例は、ビニル・アセテート−エチレン（ＶＡＥ）およびエチレン−塩化ビニル（ＥＶＣＬ）のエアフレックス・エマルジョン（Airflex emulsions）（エア・プロダクツ（Air Products）、レハイ、ペンシルバニア州）、フレックスボンド・アクリル・ポリマー（Flexbond acrylic polymers）（エア・プロダクツ（Air Products）、レハイ、ペンシルバニア州）、ロプレクス・ＳＴ−９５４・アクリル結合剤（Rhoplex ST-954 acrylic binder）（ローム・アンド・ハース（Rohm and Haas）、フィラデルフィア、ペンシルバニア州）、およびエチレン−ビニル・アセテート（ＥＶＡ）のエマルジョン（デュロセット（ＤＵＲ−Ｏ−ＳＥＴ）（登録商標）、ナショナル・スターチ・ケミカルズ（National Starch Chemicals）、ブリッジウォーター、ニュージャージー州）、を含むが、これらに限定されない。上記不織材料の中の結合材料の量は、その構造の、約５〜約２０重量％の範囲内であってよい。
【００３４】
高められた強度の不織材料は、いわゆるスパンレースまたはハイドロ−エンタングルメント技法、を用いることにより、入手できる。この技法においては、結合材料を使用する必要性を伴わずに、許容可能な強度または安定性が得られるように、個々の繊維はより合わされている。さらに、後者の技法の利点は、不織材料の優れた柔らかさである。
【００３５】
上記の柔らかさを増すために、添加剤をさらに加えることも可能である。このような添加剤の例は、グリセロール、プロピレン・グリコールおよびポリエチレン・グリコール、等のような、ポリオール、フタレート誘導体、クエン酸エステル、ポリオキシメチレン（２０）ソルビタン・エステル等のような界面活性剤、およびアセチル化モノグリセリドを含むが、これらに限定されない。
【００３６】
一実施形態において、上記のスキン・トリートメント用品は、織り状の物質を含んでいる。このような織り状の構造の例は、織り状の、綿およびポリエステル、の物質、を含むが、これらに限定されない。
【００３７】
また、一実施形態において、上記のスキン・トリートメント用品は、合成ポリマーまたは天然材料により作られている、スポンジ・シート、等のような、オープンセル型の発泡体を含んでいる。
【００３８】
上記の線は、上記用品に、研磨またはマッサージ特性を与えるか、あるいは用品にテクスチャーを付与するための任意の適当な材料により、作ることが可能である。適当な材料は、ホット・メルト・コーティング、天然ゴム、合成ゴム、ポリエチレンおよびポリプロピレン等のようなポリオレフィン、ポリアミド、エチレン・ビニル・アセテート、および熱可塑性エラストマー、を含むが、これらに限定されない。さらに、着色剤または顔料も、上記の材料と組み合わせてもよい。
【００３９】
適当なホット・メルト・コーティングは、Ｈ．Ｂ．・フラー・カンパニー（H.B. Fuller Co.）（セント・ポール、ミネソタ州）からのＨＬ−７４７１、およびハンツマン・ケミカル（Hantsman Chemical）から入手可能な、ＲＥＸＴＡＣ・アモルファス・ポリオレフィン（REXTAC amorphous polyolefins）を含む。例えば、約１５％〜約１００％の、オレフィン・ポリマーまたはブロック・コポリマーと、約０％〜約６０％の粘着性樹脂と約０％〜約５０％のワックスとを含有している、ホット・メルト・コーティングが有用になる可能性がある。加えて、コストを下げ、チキソトロピー等のようなプロセスの有益な効果を加え、あるいは、マスキングまたは白色化の有益な効果を与えるために、充填剤の使用も有益になる可能性がある。このような充填剤の例は、カボット・コーポレイション（Cabot Corp.）からの、カボシル（Cabosil）等のような、いぶしシリカ（fumed silica）、炭酸カルシウム、二酸化チタン、酸化亜鉛、酸化マグネシウム、木粉、またはディアマタエコウス・アース（diamataecous earth）を含む。加えて、上記材料は、マスキングの有益な効果を与えて、表面を着色するために、彩色されていてよい。
【００４０】
適当なオレフィン・ポリマーはポリマーを含み、この場合に、当該オレフィン・ポリマーが、（ａ）ＡＴ・プラスティクス（AT plastics）からのアテバ（Ateva）（商標）ポリマー、エクソン・ケミカル（Exxon Chemical）からのエスコレン（Escorene）（登録商標）およびビスタネクス（Vistanex）（登録商標）のポリマー、シェル・ケミカル（Shell Chemical）からのデュラフレックス（Duraflex）（登録商標）ポリマー、イーストマン・ケミカル（Eastman Chemical）からのエポレン（Epolene）（登録商標）ポリマー、およびクレアノバ（Creanova）からのベストプラスト（Vestoplast）（登録商標）ポリマー、等のような、０．５〜２５００のメルト・フロー・インデックスを伴う、エチレン、プロピレン、ｎ−ブテン、ブチレンまたはイソブチレン、のホモポリマーであり、（ｂ）この場合に、上記オレフィン・ポリマーは、エチレンと、ＡＴ・プラスティクス（AT plastics）からのアテバ（Ateva）（商標）ポリマー、デユポン（DuPont）からのエルバクス（Elvax）（登録商標）ポリマー、エクソン・ケミカル（Exxon Chemical）からのエスコレン（Escorene）（登録商標）およびオプテマ（Optema）（登録商標）のポリマー、およびダウ・ケミカル（Dow Chemical）からのプロマコル（Primacor）（登録商標）ポリマー、等のような、ビニル・アセテート、アクリル酸、メタクリル酸、エチル・アクリレート、メチル・アクリレート、ｎ−ブチル・アクリレート・ビニル・シランまたは無水マレイン酸、等のような、コ−モノマーと、のコポリマー、であり、さらに、（ｃ）この場合に、上記オレフィン・ポリマーは、エチレンと、ＡＴ・プラスティクス（AT plastics）からのアテバ（Ateva）（商標）ポリマー、デユポン（DuPont）からのヌクレル（Nucrel）（登録商標）ポリマー、エクソン・ケミカル（Exxon Chemical）からのエスコル（Escor）（登録商標）ポリマー、等のような、ビニル・アセテート、アクリル酸、メタクリル酸、エチル・アクリレート、メチル・アクリレート、ｎ−ブチル・アクリレート・ビニル・シランまたは無水マレイン酸、等のような、コ−モノマーと、のターポリマーである。
【００４１】
適当なブロック・コポリマーは、線形、または構造（Ａ−−Ｂ）x 等のような放射状、の構造を有する、ブロック・コポリマーを含み、この場合に、Ａはポリビニルアレンのブロックにより実質的に構成されており、Ｂはポリ（モノアルケニル）のブロックにより実質的に構成されており、ｘは重合体の腕の数を示しており、この場合に、ｘは１よりも大きいかこれに等しい。上記ブロックＢは、ポリブタジエンまたはポリイソプレン等のような共役ジエン・エラストマーと、エチレン−ブチレンまたはエチレン−プロピレン等のような水素添加エラストマーと、から、選択できる。これらの種類のポリマーの適当な例は、シェル・ケミカル・カンパニー（Shell Chemical Company）からのクラトン（Kraton）（登録商標）エラストマー、デキスコ（Dexco）からのベクター（Vector）（登録商標）エラストマー、エニケム・エラストマーズ（Enichem Elastomers）からのソルプレン（Solprene）（登録商標）エラストマー、およびファイアストーン・タイア・アンド・ラバー・カンパニー（Firestone Tire & Rubber Co.）からのステレオン（Stereon）（登録商標）エラストマー、を含む。上記のホット・メルト・コーティングがブロック・コポリマーを含有している場合に、そのコーティングは、約１５％〜約５０％のブロック・コポリマーを含有していること、が好ましい。
【００４２】
適当な粘着性強化樹脂は、（ａ）天然のまたは変性されたロジン、（ｂ）天然のおよび変性されたロジンの、グリセロールおよびペンタエリスリトールエステル、（ｃ）ポリテルペン樹脂、（ｄ）天然テルペンのコポリマーおよびターポリマー、（ｅ）フェノール変性したテルペン樹脂およびそれらの水素添加した誘導体、（ｆ）脂肪族石油樹脂およびそれらの水素添加した誘導体、（ｇ）芳香族石油樹脂およびそれらの水素添加した誘導体、および（ｈ）脂肪族／芳香族の石油樹脂およびそれらの水素添加した誘導体、から成る群、から選択される、任意の相溶性の樹脂またはその混合物、例えば、ヘルクレス（Hercules）からの、フォーラル（Foral）（登録商標）樹脂、ステイベライト（Staybelite）（登録商標）樹脂、ポリ−ペール（Poly-pale）（登録商標）樹脂、パーマリン（Permalyn）（登録商標）樹脂、ペンタリン（Pentalyn）（登録商標）樹脂、アドタック（Adtac）（登録商標）樹脂、ピッコペール（Piccopale）（登録商標）樹脂、ピッコタック（Piccotac）（登録商標）樹脂、ヘルコタック（Hercotac）（登録商標）樹脂、レガルレズ（Regalrez）（登録商標）樹脂、およびピッコライト（Piccolyte）（登録商標）樹脂と、エクソン・ケミカル（Exxon Chemical）からのエスコレズ（Escorez）（登録商標）樹脂、グッドイヤー・タイア・アンド・ラバー・カンパニー（Goodyear Tire & Rubber Co.）からのウイングタック（Wingtack）（Ｒ）樹脂、アラカワ・ケミカルズ（Arakawa Chemicals）からのアルコン（Arkon）（登録商標）樹脂、アリゾナ・ケミカル（Arizona Chemical）からのゾナタック（Zonatac）（登録商標）樹脂、ゾナレズ（Zonarez）（登録商標）樹脂およびゾネステル（Zonester）（登録商標）樹脂、およびネビル・ケミカル・カンパニー（Neville Chemical Company）からのネブタック（Nevtac）（登録商標）樹脂、等を含む。
【００４３】
適当なワックスは、パラフィン、フィッシャー・トロプシュ（Fischer-tropsh）、および微晶質ワックス、およびこれらの組み合わせを含むが、これらに限定されない。さらに、適当な微晶質ワックスは、バレコ・ディビジョン，ペトロライト・コーポレイション（Bareco Division, Petrolite Corporation）から入手可能なＢＥ・スクエア・１７５・マイクロワックス（BE SQUARE 175 microwax）、およびコネチカット州、シェルトンの、ムーア・アンド・マンガー（Moore & Munger）からのＭ−５１６５、を含むが、これらに限定されない。
【００４４】
適当なポリエチレン・ワックスは、テキサス州、ヒューストンの、エクソン・ケミカル（Exxon Chemical）からのＨ−１０１、であるが、これに限定されない。また、適当なフィッシャー−トロプシュ・ワックスは、ドイツ国、ハンブルグの、シューマン・サゾル（Schumann Sasol）からの、パラフリント・ワックス（Paraflint Wax）、を含むが、これに限定されない。
【００４５】
使用される場合には、上記の液体不透過性の層は、液体に対して実質的に不透過性である、任意の材料またはフィルム、例えば、高分子フィルム等により形成できる。例えば、高分子フィルムは、ポリエチレン、ポリプロピレン、およびこれらのコポリマー、等のような、ポリオレフィン、セロファン、エチレン・ビニル・アセテート・コポリマー、を含むが、これらに限定されない、任意の高分子材料により、作ることができる。あるいは、不織状の布材料を含む、含浸された撥水紙または不織材料、あるいは、ポリウレタンまたは架橋されたポリエチレン等のような、柔軟な発泡体等のように、不透過性になるように処理されている、通常は流体透過性の材料も使用可能である。
【００４６】
あるいは、通気性のある、液体不透過性の層も使用可能であり、この場合に、この材料は、蒸気の移動を可能にするが、液体の移動は可能にしない。このような材料の例は、ゴレ・テクス（Gore Tex）（登録商標）である。
【００４７】
上記のスキン・トリートメント用品は、スキン・トリートメント用の配合物を送達するために使用できる。これらの配合物は、美容的に許容可能である必要がある。これらは、クレンジング用配合物、コンディショニング用配合物、抗アクネ用配合物、加湿用配合物、しわ防止用配合物、抗菌性配合物、抗真菌性配合物、抗炎症性配合物、局所麻酔用配合物、人工日焼け用配合物、促進剤配合物、抗ウイルス性配合物、酵素配合物、サンスクリーン配合物、抗酸化薬配合物、皮膚剥離用配合物、脱毛剤配合物等およびこれらの混合物を含む。また、他のスキン・トリートメント用の配合物も、当業者において、良く知られている。例えば、参照により本明細書に組み込まれている、シー・ティー・エフ・エー・コスメティック・イングリーディエント・ハンドブック・セカンド・エディション（CTFA Cosmetic Ingredient Handbook Second Edition）、１９９２年、を参照されたい。
【００４８】
一実施形態において、上記のスキン・トリートメント用品は、クレンジング用配合物を含んでいる第１の繊維質の層と、コンディショニング用配合物を含んでいる第２の繊維質の層と、を備えている。加えて、これらの繊維質の層のいずれかまたは両方は、付加的なスキン・トリートメント用の配合物を含んでいてよい。例えば、上記第１の繊維質の層は、クレンジング用配合物を含んでいるが、上記第２の繊維質の層は、コンディショニング用配合物および抗酸化薬配合物を両方含んでいてよい。
【００４９】
一般に、上記のような配合物は、望まれる有益な効果を与える、美容上の活性剤を含んでいる。例えば、白色化剤、自己日焼け剤のような黒色化剤、抗アクネ剤、輝き調整剤（shine control agents）、抗菌剤、抗炎症剤、抗真菌剤、抗寄生虫剤、外部鎮痛薬、サンスクリーン、光保護剤、抗酸化薬、角質溶解剤、洗剤／界面活性剤、加湿剤、栄養素、ビタミン、エネルギー・エンハンサー、制汗薬、収れん薬、脱臭剤、毛髪除去剤、鎮圧剤、抗肥厚化剤、を含むが、これらに限定されない、皮膚に美容または治療作用を及ぼす配合物が、他の配合で使用されてもよい。
【００５０】
＜クレンジング用配合物＞
クレンジング用配合物は、１種類以上の界面活性剤を含有している。上記のスキン・トリートメント用品は、上記繊維質の層の重量に基づいて、約１０％〜約１，０００％、好ましくは、約５０％〜約６００％、さらに好ましくは、約１００％〜約２５０％、のクレンジング用配合物、を含有していてよい。また、本発明の用品は、好ましくは、少なくとも約０．１〜約１０グラム、さらに好ましくは、約０．５〜約５グラム、最も好ましくは、約０．８〜約１．５グラム、のクレンジング用配合物を含有している。
【００５１】
上記の界面活性剤は、好ましくは、泡立て用界面活性剤である。本明細書において用いられる場合に、「泡立て用界面活性剤」とは、水と混合されて、機械的に攪拌されると、発泡体または泡を生じる、界面活性剤を意味する。このような界面活性剤は、増大した泡が、クレンジング効果の指標として、消費者にとって重要であるので、好まれる。特定の実施形態において、上記の界面活性剤または界面活性剤の組み合わせは穏やかである。本明細書において用いられる場合に、「穏やか」とは、上記の界面活性剤ならびに本発明の用品が、穏やかなアルキル・グリセリル・エーテル・スルホネート（ＡＧＳ）の界面活性剤を基材とする、合成のバー、すなわち、シンバー（synbar）、に匹敵する、皮膚の穏やかさを示すことを意味する。界面活性剤を含有している用品の穏やかさ、あるいは逆に、刺激を測定するための方法は、皮膚バリア破壊試験に基づいている。この試験においては、界面活性剤が穏やかであるほど、皮膚バリアが破壊されることが少なくなる。この皮膚バリアの破壊は、試験溶液から、拡散物質チャンバーの中に入れた生理学的緩衝液の中に、皮膚の表皮を通過する、放射性標識された（トリチウム標識された）水（３Ｈ−−Ｈ2 Ｏ）の相対的な量により、測定される。この試験は、ジャーナル・オブ・インベスティゲーション・オブ・ダーマトロジー（J. Invest. Dermatol.），１９７５年，６４巻，ｐ．１９０〜１９５、において、ティー・ジェイ・フランツ（T. J. Franz）により、さらに、スモール（Small）他に、１９８７年、６月１６日に発行されている、米国特許第４，６７３，５２５号に記載されており、これらは共に、それぞれ全体として、参照により本明細書に組み込まれている。さらに、当業者に良く知られている、界面活性剤の穏やかさを決定するための、他の試験方法も使用可能である。
【００５２】
広く多様な泡立て用界面活性剤が本発明において有用であり、アニオン性の泡立て用界面活性剤、非イオン性の泡立て用界面活性剤、カチオン性の泡立て用界面活性剤、両性の泡立て用界面活性剤、およびこれらの混合物から成る群から選択されるものを含む。
【００５３】
＜アニオン性の泡立て用界面活性剤＞
本発明において有用なアニオン性の泡立て用界面活性剤の非限定的な例は、アルアド・パブリッシュイング・コーポレイション（Allured Publishing Corporation）により出版されている、マックカッチェオンズ，ディタージェンツ・アンド・エマルジファイアズ，ノース・アメリカン・エディション（McCutcheon's, Detergents and Emulsifiers, North American Edition）（１９８６年）、マックカッチェオンズ，ファンクショナル・マテリアルズ，ノース・アメリカン・エディション（McCutcheon's Functional Materials, North American Edition)（１９９２）、および、ラウリン（Laughlin）他に、１９７５年１２月３０日に発行されている、米国特許第３，９２９，６７８号に開示されており、これらのそれぞれは全体として、参照により本明細書に組み込まれている。
【００５４】
広く多様なアニオン性界面活性剤が本発明において、潜在的に有用である。このようなアニオン性の泡立て用界面活性剤の非限定的な例は、アルキルおよびアルキル・エーテル・サルフェート、サルフェート化モノグリセリド、スルホン化オレフィン、アルキル・アリール・スルホネート、第一級または第二級のアルカン・スルホネート、アルキル・スルホスクシネート、アシル・タウレート、アシル・イセチオネート、アルキル・グリセリルエーテル・スルホネート、スルホン化メチル・エステル、スルホン化脂肪酸、アルキル・リン酸塩、アシル・グルタミン酸塩、アシル・サルコシネート、アルキル・スルホアセテート、アシル化ペプチド、アルキル・エーテル・カルボキシレート、アシル・ラクチレート、アニオン性フルオロ界面活性剤、およびこれらの組み合わせから成る群から選択されるものを含む。なお、アニオン性界面活性剤の組み合わせは、本発明において、有効に、使用できる。
【００５５】
上記クレンジング用配合物において使用するためのアニオン性界面活性剤は、アルキルおよびアルキル・エーテル・サルフェート、を含む。これらの材料は、それぞれの化学式、すなわち、Ｒ１Ｏ−−ＳＯ３Ｍと、Ｒ1 （ＣＨ2 Ｈ4 Ｏ）x −−Ｏ−−ＳＯ3 Ｍとを有しており、この場合に、Ｒ1 は、約８〜約２４個の炭素原子の、飽和したまたは不飽和の、分枝状または非分枝状のアルキル基であり、ｘは１〜１０であり、Ｍは、アンモニウム、ナトリウム、カリウム、マグネシウム、トリエタノールアミン、ジエタノールアミンおよびモノエタノールアミン、等のような、水溶性のカチオン、である。上記のアルキル・サルフェートは、典型的には、三酸化イオウまたはその他の既知の硫酸化技法を用いて、１価アルコール（約８〜約２４個の炭素原子を有している）の硫酸化により、作られている。また、アルキル・エーテル・サルフェートは、典型的には、エチレン・オキシドと１価アルコール（約８〜約２４個の炭素原子を有している）との縮合生成物として作られ、その後、硫酸化されている。上記のアルコールは、例えば、ココナッツ油またはタロー、等の、脂肪から誘導することができ、合成であってもよい。上記クレンジング用の成分の中において使用可能である、アルキル・サルフェート、の具体的な例は、ラウリルまたはミリスチルのサルフェートの、ナトリウム、アンモニウム、カリウム、マグネシウム、またはＴＥＡの塩である。また、使用可能である、アルキル・エーテル・サルフェートの例は、アンモニウム、ナトリウム、マグネシウム、またはＴＥＡ・ラウレス−３・サルフェートである。
【００５６】
別の適当な種類のアニオン性界面活性剤は、Ｒ1 ＣＯ−−Ｏ−−ＣＨ2 −−Ｃ（ＯＨ）Ｈ−−ＣＨ2 −−Ｏ−−ＳＯ3 Ｍ、の形式の、サルフェート化モノグリセリドであり、この場合に、Ｒ1 は、約８〜約２４個の炭素原子の、飽和したまたは不飽和の、分枝状または非分枝状の、アルキル基、であり、Ｍは、アンモニウム、ナトリウム、カリウム、マグネシウム、トリエタノールアミン、ジエタノールアミンおよびモノエタノールアミン、等のような、水溶性のカチオン、である。これらは、典型的には、モノグリセリドを形成するための、脂肪酸（約８〜約２５個の炭素原子を有している）とのグリセリンの反応と、その後の、三酸化イオウによる、上記モノグリセリドの硫酸化とにより作られている。このサルフェート化モノグリセリドの例は、ナトリウム・ココモノグリセリド・サルフェートである。
【００５７】
他の適当なアニオン性界面活性剤は、Ｒ1 ＳＯ3 Ｍ、の形式の、オレフィン・スルホネートであり、この場合に、Ｒ1 は、約１２〜約２４個の炭素原子を有するモノ−オレフィン、であり、Ｍは、アンモニウム、ナトリウム、カリウム、マグネシウム、トリエタノールアミン、ジエタノールアミンおよびモノエタノールアミン、等のような、水溶性のカチオン、である。これらの化合物は、錯体化されていない三酸化イオウによるアルファ・オレフィンのスルホン化と、その後の、この反応において形成されたあらゆるスルホンが、対応するヒドロキシアルカンスルホネートを生じるために、加水分解されるような、条件、における、上記酸性の反応混合物の中和と、により製造できる。このスルホン化オレフィンの例は、ナトリウム・Ｃ１４／Ｃ１６・アルファ・オレフィン・スルホネートである。
【００５８】
別の適当なアニオン性の界面活性剤は、Ｒ1 −−Ｃ6 Ｈ4 −−ＳＯ3 Ｍ、の形式の、線形のアルキルベンゼン・スルホネートであり、この場合に、Ｒ1 は、約８〜約２４個の炭素原子の、飽和したまたは不飽和の、分枝状または非分枝状の、アルキル基であり、Ｍは、アンモニウム、ナトリウム、カリウム、マグネシウム、トリエタノールアミン、ジエタノールアミンおよびモノエタノールアミン、等のような、水溶性のカチオンである。これらは、三酸化イオウとの、線形のアルキル・ベンゼンのスルホン化により、形成されている。このアニオン性の界面活性剤の例は、ナトリウム・ドデシルベンゼン・スルホネートである。
【００５９】
上記クレンジング用配合物のために適しているさらに別のアニオン性の界面活性剤は、Ｒ1 ＳＯ3 Ｍ、の形式の、第一級または第二級のアルカン・スルホネートを含み、この場合に、Ｒ1 は、約８〜約２４個の炭素原子の、飽和したまたは不飽和の、分枝状または非分枝状の、アルキル基、であり、Ｍは、アンモニウム、ナトリウム、カリウム、マグネシウム、トリエタノールアミン、ジエタノールアミンおよびモノエタノールアミン、等のような、水溶性のカチオンである。これらは、一般的に、塩素と紫外光との存在下において二酸化イオウを用いる、パラフィンのスルホン化によるか、または他の既知のスルホン化の方法により、形成されている。このスルホン化は、アルキル鎖の、第１または第２の位置のいずれかにおいて、行なうことができる。本発明において有用なアルカン・スルホネートの例は、アルカリ金属またはアンモニウムの、Ｃ１３〜Ｃ１７のパラフィンのスルホネートである。
【００６０】
さらに別の適当なアニオン性の界面活性剤は、アルキル・スルホスクシネートであり、この物質は、二ナトリウム・Ｎ−オクタデシルスルホスクシナメート、二アンモニウム・ラウリル・スルホスクシネート、四ナトリウム・Ｎ−（１，２−ジカルボキシエチル）−Ｎ−オクタデシルスルホスクシネート、ナトリウム・スルホコハク酸のジアミル・エステル、ナトリウム・スルホコハク酸のジヘキシル・エステル、およびナトリウム・スルホコハク酸のジオクチル・エステルを含む。
【００６１】
同様に有用なものは、タウリンに基づく、タウレートであり、この物質は、２−アミノエタンスルホン酸としても、知られている。これらのタウレートの例は、米国特許第２，６５８，０７２号において詳述されているように、ドデシルアミンをナトリウム・イセチオネートと反応させることにより、調製されたもの等のような、Ｎ−アルキルタウリンを含み、上記の特許文献は、全体として参照により本明細書に組み込まれている。また、タウリンに基づく別の例は、ｎ−メチル・タウリンの脂肪酸（８〜２４個の炭素原子を有している）との反応により形成されるアシル・タウリンを含む。
【００６２】
さらに、上記クレンジング用配合物における使用に適している、別の種類のアニオン性の界面活性剤は、アシル・イセチオネートである。このアシル・イセチオネートは、典型的には、Ｒ1 ＣＯ−Ｏ−ＣＨ2 ＣＨ2 ＳＯ3 Ｍ、の化学式を有しており、この場合に、Ｒ1 は、約１０〜約３０個の炭素原子を有する、飽和したまたは不飽和の、分枝状または非分枝状の、アルキル基、であり、Ｍは一定のカチオンである。これらは、一般的に、脂肪酸（８〜３０個の炭素原子を有している）と、アルカリ金属のイセチオネートとの反応により、形成されている。これらのアシル・イセチオネートの非限定的な例は、アンモニウム・ココイル・イセチオネート、ナトリウム・ココイル・イセチオネート、ナトリウム・ラウロイル・イセチオネート、およびこれらの混合物を含む。
【００６３】
さらに別の適当なアニオン性の界面活性剤は、Ｒ1 −ＯＣＨ2 −Ｃ（ＯＨ）Ｈ−ＣＨ2 −ＳＯ3 Ｍ、の形式の、アルキルグリセリル・エーテル・スルホネートであり、この場合に、Ｒ1 は、約８〜約２４個の炭素原子の、飽和したまたは不飽和の、分枝状または非分枝状の、アルキル基であり、Ｍは、アンモニウム、ナトリウム、カリウム、マグネシウム、トリエタノールアミン、ジエタノールアミンおよびモノエタノールアミン、等のような、水溶性のカチオンである。これらは、エピクロロヒドリンおよび亜硫酸水素ナトリウムの、脂肪族酸アルコール（約８〜約２４個の炭素原子を有している）との、反応によるか、別の既知の方法により、形成できる。一例は、ナトリウム・ココグリセリル・エーテル・スルホネートである。
【００６４】
別の適当なアニオン性の界面活性剤は、Ｒ1 −ＣＨ（ＳＯ4 ）−ＣＯＯＨ、の形式の、スルホン化脂肪酸およびＲ1 −ＣＨ（ＳＯ4 ）−ＣＯ−Ｏ−ＣＨ3 、の形式の、スルホン化メチル・エステル、を含み、この場合に、Ｒ1 は、約８〜約２４個の炭素原子の、飽和したまたは不飽和の、分枝状または非分枝状の、アルキル基である。これらは、三酸化イオンによる、脂肪酸またはアルキル・メチル・エステル（約８〜約２４個の炭素原子を有している）の、スルホン化によるか、または他の既知のスルホン化技法により、形成できる。これらの例は、アルファ・スルホン化・ココナッツ脂肪酸およびラウリル・メチル・エステルを含む。
【００６５】
別のアニオン性の界面活性剤は、約８〜約２４個の炭素原子を有する、１価の、分枝状または非分枝状の、アルコールとの、五酸化リンの反応により、形成されている、モノアルキル、ジアルキル、およびトリアルキルの、ホスフェート、等のような、ホスフェート、を含む。なお、これらは、別の既知のリン酸化法により、形成することも可能である。この種の界面活性剤の一例は、ナトリウム・モノまたはジ・ラウリルホスフェートである。
【００６６】
別のアニオン性の界面活性剤は、化学式、Ｒ1 ＣＯ−Ｎ（ＣＯＯＨ）−ＣＨ2 ＣＨ2 −ＣＯ2 Ｍ、に相当する、アシル・グルタメート、を含み、この場合に、Ｒ1 は、約８〜約２４個の炭素原子の、飽和したまたは不飽和の、分枝状または非分枝状の、アルキル基またはアルケニル基であり、Ｍは水溶性のカチオンである。この界面活性剤の非限定的な例は、ナトリウム・ラウロイル・グルタメートおよびナトリウム・ココイル・グルタメートを含む。
【００６７】
別のアニオン性の界面活性剤は、化学式、Ｒ1 ＣＯＮ（ＣＨ3 ）−ＣＨ2 ＣＨ2 −ＣＯ2 Ｍ、に相当する、アルカノイル・サルコシネートを含み、この場合に、Ｒ1 は、約１０〜約２０個の炭素原子の、飽和したまたは不飽和の、分枝状または非分枝状の、アルキル基またはアルケニル基であり、Ｍは水溶性のカチオンである。この界面活性剤の非限定的な例は、ナトリウム・ラウロイル・サルコシネート、ナトリウム・ココイル・サルコシネート、およびアンモニウム・ラウロイル・サルコシネートを含む。
【００６８】
別のアニオン性の界面活性剤は、化学式、Ｒ1 −（ＯＣＨ2 ＣＨ2 ）x −ＯＣＨ2 −ＣＯ2 Ｍ、に相当する、アルキル・エーテル・カルボキシレートを含み、この場合に、Ｒ1 は、約８〜約２４個の炭素原子の、飽和したまたは不飽和の、分枝状または非分枝状の、アルキル基またはアルケニル基であり、ｘは１〜１０であり、Ｍは水溶性のカチオンである。この界面活性剤の非限定的な例は、ナトリウム・ラウレス・カルボキシレートを含む。
【００６９】
別のアニオン性の界面活性剤は、化学式、Ｒ1 ＣＯ−［Ｏ−ＣＨ（ＣＨ3 ）−ＣＯ］x −ＣＯ2 Ｍ、に相当する、アシル・ラクチレートを含み、この場合に、Ｒ1 は、約８〜約２４個の炭素原子の、飽和したまたは不飽和の、分枝状または非分枝状の、アルキル基またはアルケニル基であり、ｘは３であり、Ｍは水溶性のカチオンである。この界面活性剤の非限定的な例は、ナトリウム・ココイル・ラクチレートを含む。
【００７０】
別のアニオン性の材料はカルボキシレートを含み、この材料の非限定的な例は、ナトリウム・ラウロイル・カルボキシレート、ナトリウム・ココイル・カルボキシレート、およびアンモニウム・ラウロイル・カルボキシレートを含む。アニオン性のフルオロ界面活性剤（flourosurfactants）を使用することもできる。
【００７１】
別のアニオン性の界面活性剤は、植物および／または動物の脂肪および油のけん化により誘導されている、天然の石鹸を含み、この例は、ナトリウム・ラウレート、ナトリウム・ミリステート、パルミテート、ステアレート、タロウエート、ココエートを含む。
【００７２】
また、任意のカウンター・カチオンの、Ｍ、が上記アニオン性の界面活性剤において、使用可能である。好ましくは、このカウンター・カチオンは、ナトリウム、カリウム、アンモニウム、モノエタノールアミン、ジエタノールアミン、トリエタノールアミンから成る群から選択される。さらに好ましくは、上記のカウンター・カチオンはアンモニウムである。
【００７３】
＜非イオン性の泡立て用界面活性剤＞
非イオン性の泡立て用界面活性剤の非限定的な例は、アルアド・パブリッシュイング・コーポレイション（Allured Publishing Corporation）により出版されている、マックカッチェオンズ，ディタージェンツ・アンド・エマルジファイアズ，ノース・アメリカン・エディション（McCutcheon's, Detergents and Emulsifiers, North American Edition）（１９８６年）、および、マックカッチェオンズ，ファンクショナル・マテリアルズ，ノース・アメリカン・エディション（McCutcheon's Functional Materials, North American Edition）（１９９２年）、に開示されており、これらは共に全体として参照により本明細書に組み込まれている。
【００７４】
本発明において有用な非イオン性の泡立て用界面活性剤は、アルキル・グルコシド、アルキル・ポリグルコシド、ポリヒドロキシ脂肪酸のアミド、アルコキシル化脂肪酸のエステル、スクロース・エステル、アミン・オキシド、およびこれらの混合物から成る群から選択されるものを含む。
【００７５】
アルキル・グルコシドおよびアルキル・ポリグルコシドは本発明において有用であり、長鎖のアルコール、例えば、Ｃ８−Ｃ３０、のアルコールの、糖またはデンプンあるいは糖またはデンプンのポリマー、すなわち、グリコシドあるいはポリグリコシド、との、縮合生成物として、広く定めることができる。また、これらの化合物は、化学式、（Ｓ）n −Ｏ−Ｒ、により、表現することができ、この場合に、Ｓは、グルコース、フルクトース、マンノース、およびガラクトース、等のような、糖の部分であり、ｎは、約１〜約１０００の整数であり、Ｒは、Ｃ８〜Ｃ３０、のアルキル基である。上記のアルキル基を誘導できる長鎖のアルコールの例は、デシル・アルコール、セチル・アルコール、ステアリル・アルコール、ラウリル・アルコール、ミリスチル・アルコール、オレイル・アルコール等、を含む。これらの界面活性剤の好ましい例は、上記Ｓがグルコースの部分であり、Ｒは、Ｃ８〜Ｃ２０、のアルキル基であり、ｎは、約１〜約９、の整数であるものを含む。これらの界面活性剤の、市場において入手可能な例は、デシル・ポリグルコシド（ヘンケル（Henkel）から、ＡＰＧ・３２５・ＣＳ、として入手可能）およびラウリル・ポリグリコシド（ヘンケル（Henkel）から、ＡＰＧ・６００ＣＳおよび６２５・ＣＳとして、入手可能）、を含む。同様に有用なものは、スクロース・ココエートおよびスクロース・ラウレート、等のような、スクロース・エステルの界面活性剤である。
【００７６】
別の有用な非イオン性の界面活性剤は、ポリヒドロキシ脂肪酸アミドの界面活性剤を含み、この界面活性剤のさらに具体的な例は、以下の化学式に相当する、グルコスアミドを含む。
【化１】
2008023327.tif 000003
この場合に、Ｒ1 は、Ｈ、Ｃ1 〜Ｃ4 のアルキル、２−ヒドロキシエチル、２−ヒドロキシ−プロピル、好ましくは、Ｃ1 〜Ｃ4 のアルキル、さらに好ましくは、メチルまたはエチル、最も好ましくは、メチル、であり、Ｒ2 は、Ｃ5 〜Ｃ31のアルキルまたはアルケニル、好ましくは、Ｃ7 〜Ｃ19のアルキルまたはアルケニル、さらに好ましくは、Ｃ9 〜Ｃ17のアルキルまたはアルケニル、最も好ましくは、Ｃ11〜Ｃ15のアルキルまたはアルケニルであり、Ｚは、分子鎖に直接に連結している少なくとも３個のヒドロキシルを伴う、線形のヒドロカルビル（hydrocarbyl）の鎖、を有するポリヒドロキシヒドロカルビル(polhydroxyhydrocarbyl)の部分、またはそのアルコキシル化された誘導体（好ましくは、エトキシル化またはプロポキシ化されている）である。Ｚは、好ましくは、グルコース、フルクトース、マルトース、ラクトース、ガラクトース、マンノース、キシロース、およびこれらの混合物から成る群から選択される、糖の部分、である。上記の構造に相当する、特に好ましい界面活性剤は、ココナッツ・アルキル・Ｎ−メチル・グルコシドのアミド、である（すなわち、上記Ｒ2 ＣＯ−−の部分は、ココナッツ・オイルの脂肪酸から、誘導されている）。ポリヒドロキシ脂肪酸アミドを含有している組成物を作成するための方法は、例えば、トーマス・ヘドレイ・アンド・カンパニー・リミテッド（Thomas Hedley & Co., Ltd）により、１９５９年、２月１８日に公開されている、英国特許明細書第８０９，０６０号、Ｅ．Ｒ．ウイルソン（E. R. Wilson）に、１９６０年、１２月２０日に発行されている、米国特許第２，９６５，５７６号、Ａ．Ｍ．シュワルツ（A. M. Schwarz）に、１９５５年、３月８日に発行されている、米国特許第２，７０３，７９８号、およびピゴット（Piggot）に、１９３４年、１２月２５日に発行されている、米国特許第１，９８５，４２４号、に開示されており、これらのそれぞれは、全体として、参照により本明細書に組み込まれている。
【００７７】
非イオン性の界面活性剤の他の例は、アミン・オキシドを含む。これらのアミン・オキシドは、一般式、Ｒ1 Ｒ2 Ｒ3 Ｎ−Ｏ、に相当し、この場合に、Ｒ1 は、約８〜約１８個の炭素原子の、アルキル、アルケニルまたはモノヒドロキシアルキルのラジカルと０〜約１０個のエチレン・オキシドの部分と０個〜約１個のグリセリルの部分とを含み、Ｒ2 およびＲ3 は、約１〜約３個の炭素原子と約０個〜約１個のヒドロキシ基とを含み、例えば、メチル、エチル、プロピル、またはヒドロキシプロピルのラジカルを含んでいる。なお、化学式の中の矢印は、半極性結合の、従来的な表現である。本発明における使用に適しているアミン・オキシドの例は、ジメチル−ドデシルアミン・オキシド、オレイルジ（２−ヒドロキシエチル）アミン・オキシド、ジメチルオクチルアミン・オキシド、ジメチル−デシルアミン・オキシド、ジメチル−テトラデシルアミン・オキシド、３，６，９−トリオキサヘプタデシルジエチルアミン・オキシド、ジ（２−ヒドロキシエチル）−テトラデシルアミン・オキシド、２−ドデコキシエチルジメチルアミン・オキシド、３−ドデコキシ−２−ヒドロキシプロピルジ（３−ヒドロキシプロピル）アミン・オキシド、ジメチルヘキサデシルアミン・オキシド、を含む。
【００７８】
本発明における使用において、好ましい非イオン性の界面活性剤の、非限定的な例は、Ｃ８〜Ｃ１４のグルコース・アミド、Ｃ８〜Ｃ１４のアルキル・ポリグルコシド、スクロース・ココエート、スクロース・ラウレート、ラウラミン・オキシド、ココアミン・オキシド、およびこれらの混合物から成る群から選択されるもの、を含む。
【００７９】
＜カチオン性の泡立て用界面活性剤＞
カチオン性の泡立て用界面活性剤も、本発明の用品において、有用である。適当なカチオン性の泡立て用界面活性剤は、脂肪族アミン、二脂肪族第四級アミン、三脂肪族第四級アミン、イミダゾリウム第四級アミン、およびこれらの組み合わせを含むが、これらに限定されない。適当な脂肪族アミンは、臭化セチルトリメチルアンモニウム等のような、モノアルキル第四級アミンを含む。また、適当な第四級アミンは、ジアルキルアミドエチル・ヒドロキシエチルモニウム・メトサルフェートである。ただし、脂肪族アミンが好ましい。なお、カチオン性の泡立て用界面活性剤が上記クレンジング用の成分の主な泡立て用界面活性剤である場合には、泡立て増進剤が用いられることが好ましい。加えて、非イオン性の界面活性剤は、上記のようなカチオン性の泡立て界面活性剤との組み合わせた場合に特に有用であることが分かっている。
【００８０】
＜両性の泡立て用界面活性剤＞
用語の「両性の泡立て用界面活性剤」は、本明細書において用いられる場合に、両性イオン界面活性剤を含むことも意図されており、これらの両性イオン界面活性剤は、両性界面活性剤の部分集合として、当業界において熟練している調合者において、良く知られている。
【００８１】
多様な両性の泡立て用界面活性剤が使用できる。特に有用なものは、脂肪族の第二級および第三級のアミンの誘導体として、広く記載されているものであり、好ましくは、この場合に、その窒素はカチオンの状態であり、この状態において、それらの脂肪族のラジカルは、直鎖状または分枝状の鎖であってよく、この場合に、それらのラジカルの一つは、イオン化可能な水溶性の基、例えば、カルボキシ、スルホネート、サルフェート、ホスフェート、またはホスホネート、を含んでいる。
【００８２】
上記両性の界面活性剤の非限定的な例は、アルアド・パブリッシュイング・コーポレイション（Allured Publishing Corporation）により出版されている、マックカッチェオンズ，ディタージェンツ・アンド・エマルジファイアズ，ノース・アメリカン・エディション（McCutcheon's, Detergents and Emulsifiers, North American Edition）（１９８６年）、および、マックカッチェオンズ，ファンクショナル・マテリアルズ，ノース・アメリカン・エディション（McCutcheon's Functional Materials, North American Edition）（１９９２年）、に開示されており、これらは共に、全体として、参照により本明細書に組み込まれている。
【００８３】
上記の両性または両性イオンの界面活性剤の非限定的な例は、ベタイン、サルテイン（sultaine）、ヒドロキシサルテイン、アルキルイミノアセテート、イミノジアルカノエート、アミノアルカノエート、およびこれらの混合物から成る群から選択されるもの、である。
【００８４】
ベタインの例は、ココ・ジメチル・カルボキシメチル・ベタイン、ラウリル・ジメチル・カルボキシメチル・ベタイン、ラウリル・ジメチル、アルファカルボキシエチル・ベタイン、セチル・ジメチル・カルボキシメチル・ベタイン、セチル・ジメチル・ベタイン（ロンザ・コーポレイション（Lonza Corp.）から、ロンザイン・１６ＳＰ（Lonzaine 16SP）として、入手可能）、ラウリル・ビス−（２−ヒドロキシエチル）・カルボキシメチル・ベタイン、オレイル・ジメチル・ガンマ−カルボキシプロピル・ベタイン、ラウリル・ビス−（２−ヒドロキシプロピル）アルファ−カルボキシエチル・ベタイン、ココ・ジメチル・スルホプロピル・ベタイン、ラウリル・ジメチル・スルホエチル・ベタイン、ラウリル・ビス−（２−ヒドロキシエチル）・スルホプロピル・ベタイン、アミドベタインおよびアミドスルホベタイン（この場合に、ＲＣＯＮＨ（ＣＨ2 ）3 のラジカルが、ベタインの窒素原子に、結合している）、オレイル・ベタイン（ヘンケル（Henkel）から、両性のベルベテクス・ＯＬＢ−５０（Velvetex OLB-50）として、入手可能）、およびコカミドプロピル・ベタイン（ヘンケル（Henkel）から、ベルベテクス・ＢＫ−３５（Velvetex BK-35）およびＢＡ−３５（BA-35）として、入手可能）、等のような、高級アルキル・ベタイン、を含む。
【００８５】
上記のサルテインおよびヒドロキシサルテインの例は、コカミドプロピル・ヒドロキシサルタイン（ローン−ポーレンク（Rhone-Poulenc）から、ミラテイン・ＣＢＳ（Mirataine CBS）として、入手可能）などのような材料を含む。
【００８６】
本発明における使用するために好ましいものは、以下の構造を有する両性の界面活性剤、である。
【化２】
2008023327.tif 000004
この場合に、Ｒ1 は、約９〜約２２個の炭素原子を有する、飽和したまたは不飽和の、直鎖状または分枝鎖状のアルキルである。好ましいＲ1 は、約１１〜約１８個の炭素原子、さらに好ましくは、約１２〜約１８個の炭素原子、さらに好ましくは、約１４〜約１８個の炭素原子を有しており、ｍは、１〜約３、さらに好ましくは、約２〜約３、さらに好ましくは、約３、の整数であり、ｎは、０または１、のいずれかで、好ましくは、１、であり、Ｒ2 およびＲ3 は、ヒドロキシにより置換されていないかモノ置換されている、１〜約３個の炭素原子を有しているアルキルから成る群から独立して選択され、好ましいＲ2 およびＲ3 は、ＣＨ3 、であり、Ｘは、ＣＯ2 、ＳＯ3 およびＳＯ4から成る群から選択され、Ｒ4 は、１〜約５個の炭素原子を有していて、ヒドロキシにより置換されていないか、またはモノ置換されている、飽和したまたは不飽和の、直鎖状または分枝鎖状のアルキルから成る群から選択される。なお、ＸがＣＯ2 である場合に、Ｒ4 は、好ましくは、１〜３個の炭素原子、さらに好ましくは、１個の炭素原子を有している。また、ＸがＳＯ3 またはＳＯ4 である場合には、Ｒ4 は、約２〜約４個の炭素原子、さらに好ましくは、３個の炭素原子を有している。
【００８７】
本発明の両性界面活性剤の例は、以下の化合物、すなわち、
セチル・ジメチル・ベタイン（この材料も、ＣＴＦＡ指定のセチル・ベタインを有している）
【化３】
2008023327.tif 000005
コカミドプロピルベタイン
【化４】
2008023327.tif 000006
（この場合に、Ｒは、約９〜約１３個の炭素原子を有している）
さらに、コカミドプロピル・ヒドロキシ・サルテイン
【化５】
2008023327.tif 000007
（この場合に、Ｒは、約９〜約１３個の炭素原子を有している）
を含む。
【００８８】
別の有用な両性界面活性剤の例は、アルキルイミノアセテート、および化学式、ＲＮ［（ＣＨ2 ）m ＣＯ2 Ｍ］2 およびＲＮＨ（ＣＨ2 ）m ＣＯ2 Ｍ、のイミノジアルカノエートおよびアミノアルカノエートであり、この場合に、ｍは１〜４であり、ＲはＣ8 −Ｃ22のアルキルまたはアルケニルであり、Ｍは、Ｈ、アルカリ金属、アルカリ土類金属のアンモニウムまたはアルカノールアンモニウムである。さらに、上記の例に含まれるものは、イミダゾリニウムおよびアンモニウムの誘導体である。適当な両性界面活性剤の具体的な例は、ナトリウム・３−ドデシル−アミノプロピオネート、ナトリウム・３−ドデシルアミノ−プロパン・スルホネート、全体が参照により本明細書に組み込まれている、米国特許第２，４３８，０９１号の教示に従って作られるもの、等のような、Ｎ−高級アルキル・アスパラギン酸、および、商品名を「ミラノール（Miranol）」として、販売されていて、全体が参照により本明細書に組み込まれている、米国特許第２，５２８，３７８号、に記載されている、製品を含む。有用な両性材料の別の例は、コカミドプロピル・ＰＧ−ジモニウム・クロリド・ホスフェート（モナ・コーポレイション（Mona Corp.）から、モナクォート・ＰＴＣとして、市場において入手可能）、等のような、両性ホスフェート、を含む。同様に有用なものは、二ナトリウム・ラウロアンホジアセテート、ナトリウム・ラウロアンホアセテート、およびこれらの混合物、等のような、両性アセテートである。
【００８９】
好ましい泡立て用界面活性剤は、アンモニウム・ラウロイル・サルコシネート、ナトリウム・トリデセス・サルフェート、ナトリウム・ラウロイル・サルコシネート、アンモニウム・ラウレス・サルフェート、ナトリウム・ラウレス・サルフェート、アンモニウム・ラウリル・サルフェート、ナトリウム・ラウリル・サルフェート、アンモニウム・ココイル・イセチオネート、ナトリウム・ココイル・イセチオネート、ナトリウム・ラウロイル・イセチオネート、ナトリウム・セチル・サルフェート、ナトリウム・モノラウリル・ホスフェート、ナトリウム・ココグリセリル・エーテル・スルホネート、ナトリウムのＣ9 −Ｃ22の石鹸、およびこれらの組み合わせから成る群から選択されるアニオン性の泡立て用界面活性剤と、ラウラミド・オキシド、ココアミン・オキシド、デシル・ポリグルコース、ラウリル・ポリグルコース、スクロース・ココエート、Ｃ１２−Ｃ１４のグルコサミド、スクロース・ラウレート、およびこれらの組み合わせから成る群から選択される、非イオン性の泡立て用界面活性剤と、脂肪族アミン、二脂肪族第四級アミン、三脂肪族第四級アミン、イミダゾリニウム第四級アミン、およびこれらの組み合わせから成る群から選択されるカチオン性の泡立て用界面活性剤と、二ナトリウム・ラウロアンホジアセテート（disodium lauroamphodiacetate）、ナトリウム・ラウロアンホアセテート（sodium lauroamphoacetate）、セチル・ジメチル・ベタイン、ココアミドプロピル・ベタイン、ココアミドプロピル・ヒドロキシ・サルテイン、およびこれらの組み合わせとから成る群から選択される、両性の泡立て用界面活性剤とから成る群から選択される。
【００９０】
＜コンディショニング用配合物＞
本発明の特定の実施形態において、上記の用品はコンディショニング用配合物を含んでいる。すなわち、繊維質の層は、その繊維質の層の重量に基いて、約１０〜約１０００重量％、さらに好ましくは、約１０〜約５００重量％、最も好ましくは、約１０〜約２５０重量％のコンディショニング用の配合物を含んでいる。好ましくは、このコンディショニング用配合物は、疎水性のコンディショニング用の物質、親水性のコンディショニング用の物質、組織化されたコンディショニング用の物質、およびこれらの組み合わせから成る群から選択される物質を含有している。
【００９１】
一実施形態において、上記コンディショニング用の配合物は、例えば、コグニス（Cognis）から市場において入手可能な、カラメルト（Caramelt）（登録商標）等の、美容用のワックス配合物を含む。特に、このコンディショニング用配合物は、トリグリセリド、部分的グリセリド、脂肪族アルコール、脂肪族エステル、エーテル、カーボネート、脂肪酸、およびこれらの混合物から成る群から選択される化合物を含むことができる。
【００９２】
＜疎水性のコンディショニング用の物質＞
本発明の用品は、その用品の使用の間に、皮膚または毛髪に、コンディショニング用の有益な効果を与えるために有用である１種類以上の疎水性のコンディショニング用の物質を含んでいてよい。
【００９３】
疎水性のコンディショニング用の物質の非限定的な例は、鉱油、石油、レシチン、水素添加レシチン、ラノリン、ラノリン誘導体、Ｃ７〜Ｃ４０の分枝鎖状の炭化水素、Ｃ１〜Ｃ３０のカルボン酸のＣ１〜Ｃ３０のアルコール・エステル、Ｃ２〜Ｃ３０のジカルボン酸のＣ１〜Ｃ３０のアルコール・エステル、Ｃ１〜Ｃ３０のカルボン酸のモノグリセリド、Ｃ１〜Ｃ３０のカルボン酸のジグリセリド、Ｃ１〜Ｃ３０のカルボン酸のトリグリセリド、Ｃ１〜Ｃ３０のカルボン酸のエチレン・グリコール・モノエステル、Ｃ１〜Ｃ３０のカルボン酸のエチレン・グリコール・ジエステル、Ｃ１〜Ｃ３０のカルボン酸のプロピレン・グリコール・モノエステル、Ｃ１〜Ｃ３０のカルボン酸のプロピレン・グリコール・ジエステル、糖のＣ１〜Ｃ３０のカルボン酸のモノエステルおよびポリエステル、ポリジアルキルシロキサン、ポリジアリールシロキサン、ポリアルキルアリールシロキサン、３〜９個のケイ素原子を有するシクロメチコーン、植物油、水素添加植物油、ポリプロピレン・グリコールのＣ４〜Ｃ２０のアルキル・エーテル、ジＣ８〜Ｃ３０・アルキル・エーテル、およびこれらの組み合わせから成る群から選択されるものを含む。
【００９４】
ペトロラタム液としても知られている、鉱油は、石油から得られる液体炭化水素の混合物である。例えば、メルク・インデクス（The Merck Index），第１０版，エントリー７０４８，ｐ．１０３３，（１９８３年）、およびインターナショナル・コスメティック・イングリーディエント・ディクショナリー（International Cosmetic Ingredient Dictionary），第５版，１巻，ｐ．４１５−４１７，（１９９３年）、を参照されたく、これらは、全体として参照により本明細書に組み込まれている。
【００９５】
石油ゼリーとしても知られている、ペトロラタムは、分岐鎖状の固体の炭化水素と高沸点の液体炭化水素との、コロイド状の系、であり、これらの液体の炭化水素の大部分はミセルの内側に保持されている。例えば、メルク・インデクス（The Merck Index），第１０版，エントリー７０４７，ｐ．１０３３，（１９８３年）、シンドラー（Schindler），ドラッグ・コスメティクス・インデクス（Drug. Cosmet. Ind.），ｐ．８９，３６−３７，７６，７８−８０，８２，（１９６１年）、およびインターナショナル・コスメティック・イングリーディエント・ディクショナリー（International Cosmetic Ingredient Dictionary），第５版，１巻，ｐ．５３７，（１９９３年）、を参照されたく、これらは、全体として、参照により本明細書に組み込まれている。
【００９６】
レシチンも、疎水性のコンディショニング用の物質として有用である。このレシチンは、リン酸のコリン・エステルに連結している、特定の脂肪酸のジグリセリドの、天然に存在している混合物である。
【００９７】
約７〜約４０個の炭素原子を有する直鎖状および分枝鎖状の炭化水素が本発明において有用である。これらの炭化水素の材料の非限定的な例は、ドデカン、イソドデカン、スクアラン、コレステロール、水素添加ポリイソブチレン、ドコサン（すなわち、Ｃ22の炭化水素）、ヘキサデカン、イソヘキサデカン（ニュージャージー州、サウス・プレインフィールドのプレスパース（Presperse）により、パーメチル（Permethyl）（登録商標）１０１Ａ、として販売されている、市場において入手可能な炭化水素）、を含む。同様に有用なものは、Ｃ７−Ｃ４０の分枝状の炭化水素である、Ｃ７−Ｃ４０のイソパラフィンである。分枝状の液体炭化水素であるポリデセンも本発明において有用であり、モービル・ケミカル（Mobile Chemical）（エジソン、ニュージャージー州）から、商品名をプレシン１００（Puresyn 100）（登録商標）およびプレシン３０００（Puresyn 3000）（登録商標）として、市場において入手可能である。
【００９８】
同様に有用なものは、直鎖状および分枝鎖状の材料ならびに芳香族の誘導体を含む、Ｃ１〜Ｃ３０のカルボン酸の、およびＣ２〜Ｃ３０のジカルボン酸の、Ｃ１〜Ｃ３０のアルコールのエステルである。同様に有用なものは、Ｃ１〜Ｃ３０のカルボン酸のモノグリセリド、Ｃ１〜Ｃ３０のカルボン酸のジグリセリド、Ｃ１〜Ｃ３０のカルボン酸のトリグリセリド、Ｃ１〜Ｃ３０のカルボン酸のエチレン・グリコール・モノエステル、Ｃ１〜Ｃ３０のカルボン酸のエチレン・グリコール・ジエステル、Ｃ１〜Ｃ３０のカルボン酸のプロピレン・グリコール・モノエステル、およびＣ１〜Ｃ３０のカルボン酸のプロピレン・グリコール・ジエステル、等のような、エステルである。また、直鎖状、分枝鎖状、およびアリールのカルボン酸も本発明に含まれている。同様に有用なものは、上記の材料のプロポキシル化およびエトキシル化されている誘導体である。非限定的な例は、ジイソプロピル・セバケート、ジイソプロピル・アジぺート、イソプロピル・ミリステート、イソプロピル・パルミテート、ミリスチル・プロピオネート、エチレン・グリコール・ジステアレート、２−エチルヘキシル・パルミテート、イソデシル・ネオペンタノエート（isodecyl neopentanoate）、ジ−２−エチルヘキシル・マレエート、セチル・パルミテート、ミリスチル・ミリステート、ステアリル・ステアレート、セチル・ステアレート、ベヘニル・ベヘネート、ジオクチル・マレエート、ジオクチル・セバケート、ジイソプロピル・アジペート、セチル・オクタノエート、ジイソプロピル・ジリノーレエート、カプリル酸／カプリン酸のトリグリセリド、ＰＥＧ−６のカプリル酸／カプリン酸のトリグリセリド、ＰＥＧ８のカプリル酸／カプリン酸のトリグリセリド、およびこれらの組み合わせを含む。
【００９９】
同様に有用なものは、糖の、さまざまなＣ１〜Ｃ３０の、モノエステルおよびポリエステルおよび関連の材料である。これらのエステルは、糖またはポリオールの部分と、１つ以上のカルボン酸の部分とにより誘導されている。さらに、成分の酸と糖とにより、これらのエステルは、室温で液体または固体の形態のいずれになることも可能である。液体のエステルの例は、グルコース・テトラオレエート、ダイズ油脂肪酸（不飽和）のグルコース・テトラエステル、混合ダイズ油脂肪酸のマンノース・テトラエステル、オレイン酸のガラクトース・テトラエステル、リノール酸のアラビノース・テトラエステル、キシロース・テトラリノーレエート、ガラクトース・ペンタオレエート、ソルビトール・テトラオレエート、不飽和ダイズ油脂肪酸のソルビトール・ヘキサエステル、キシリトール・ペンタオレエート、スクロース・テトラオレエート、スクロース・ペンタオレエート、スクロース・ヘキサオレエート、スクロース・ヘプタオレエート、スクロース・オクタオレエート、およびこれらの混合物、を含む。固体のエステルの例は、カルボン酸エステルの部分が、１：２のモル比のパルミトオレエートとアラキデートである、ソルビトール・ヘキサエステル、カルボン酸エステルの部分が、１：３のモル比のリノーレエートとベヘネートである、ラフィノースのオクタエステル、エステル化しているカルボン酸の部分が、３：４のモル比のヒマワリ油脂肪酸とリグノセレートである、マルトースのヘプタエステル、エステル化しているカルボン酸の部分が、２：６のモル比のオレエートとベヘネートである、スクロースのオクタエステル、および、エステル化しているカルボン酸の部分が、１：３：４のモル比のラウレートとリノーレエートとベヘネートである、スクロースのオクタエステル、を含む。好ましい固体の材料はスクロース・ポリエステルであり、この場合に、エステル化の程度は７〜８であり、脂肪酸の部分は、１：７〜３：５の、不飽和体：ベヘン酸のモル比の、Ｃ１８のモノ−および／またはジ−不飽和体とベヘン酸である。特に好ましい固体の糖のポリエステルは、分子内に、約７個のベヘン脂肪酸の部分と約１個のオレイン酸の部分とが存在している、スクロースのオクタエステルである。また、別の材料は、スクロースの、綿実油またはダイズ油の、脂肪酸エステルを含む。これらのエステル材料は、米国特許第２，８３１，８５４号、ジャンダセック（Jandacek）に、１９７７年１月２５日に発行されている、米国特許第４，００５，１９６号、ジャンダセック（Jandacek）に、１９７７年１月２５日に発行されている、米国特許第４，００５，１９５号、レットン（Letton）他に、１９９４年４月２６日に発行されている、米国特許第５，３０６，５１６号、レットン（Letton）他に、１９９４年４月２６日に発行されている、米国特許第５，３０６，５１５号、レットン（Letton）他に、１９９４年４月２６日に発行されている、米国特許第５，３０５，５１４号、ジャンダセック（Jandacek）他に、１９８９年１月１０日に発行されている、米国特許第４，７９７，３００号、リッツィ（Rizzi）他に、１９７６年６月１５日に発行されている、米国特許第３，９６３，６９９号、ボルペンハイン（Volpenhein）に、１９８５年５月２１日に発行されている、米国特許第４，５１８，７７２号、およびボルペンハイン（Volpenhein）に、１９８５年５月２１日に発行されている、米国特許第４，５１７，３６０号、においてさらに記載されており、これらのそれぞれは、全体として、参照により本明細書に組み込まれている。
【０１００】
ポリジアルキルシロキサン、ポリジアリールシロキサン、およびポリアルキルアリールシロキサン、等のような、不揮発性のシリコーンもまた、有用なオイルである。これらのシリコーンは、オール（Orr）に、１９９１年１２月３日に発行されている、米国特許第５，０６９，８９７号に開示されており、この明細書は、全体として、参照により本明細書に組み込まれている。上記のポリアルキルシロキサンは、一般化学式、Ｒ3 ＳｉＯ［Ｒ2 ＳｉＯ］x ＳｉＲ3 に相当し、この場合に、Ｒはアルキル基であり（好ましくは、Ｒはメチルまたはエチル、さらに好ましくはメチル、である）、ｘは、所望の分子量を達成するために選ばれた、約５００までの整数である。市場において入手可能なポリアルキルシロキサンは、ジメチコーンとしても知られるポリジメチルシロキサンを含み、ポリジメチルシロキサンの非限定的な例は、ジェネラル・エレクトリック・カンパニー（General Electric Company）により販売されているビカシル（Vicasil）（登録商標）シリーズ、およびダウ・コーニング・コーポレイション（Dow Corning Corporation）により販売されているダウ・コーニング（Dow Corning）（登録商標）２００シリーズ、を含む。本発明において有用なポリジメチルシロキサンの具体的な例は、１０センチストロークの粘度と２００℃よりも高い沸点とを有する、ダウ・コーニング（Dow Corning）（登録商標）２２５の流体、および、それぞれ、５０，３５０および１２，５００の粘度と２００℃よりも高い沸点とを有する、ダウ・コーニング（Dow Corning）（登録商標）２００の流体を含む。同様に有用なのは、トリメチルシロキシシロケート等のような材料であり、この材料は、一般化学式、［（ＣＨ2 ）3 ＳｉＯ1/2 ］x ［ＳｉＯ］y 、に相当する高分子材料であり、ｘは約１〜約５００の整数であり、ｙは１〜約５００の整数である。市場において入手可能なトリメチルシロキシシロケートは、ダウ・コーニング（Dow Corning）（登録商標）５９３流体として、ジメチコーンとの混合物として、販売されている。本発明において同様に有用なものはジメチコノールであり、この材料は、ヒドロキシ末端を有する（hydroxy terminated）ジメチル・シリコーンである。これらの材料は、一般化学式、Ｒ3 ＳｉＯ［Ｒ2 ＳｉＯ］x ＳｉＲ2 ＯＨ、および、ＨＯＲ2 ＳｉＯ［Ｒ2 ＳｉＯ］x ＳｉＲ2 ＯＨ、により、表現することができ、この場合に、Ｒはアルキル基であり（好ましくは、Ｒはメチルまたはエチル、さらに好ましくは、メチルであり）、ｘは、所望の分子量を達成するために選択された約５００までの整数である。市場において入手可能なジメチコノールは、典型的には、ジメチコーンまたはシクロメチコーンとの混合物（例えば、ダウ・コーニング（Dow Corning）（登録商標）１４０１，１４０２および１４０３流体）として、販売されている。本発明において同様に有用なものは、ポリアルキルアリールシロキサンであり、２５℃で、約１５〜約６５センチストロークの粘度を有するポリメチルフェニル・シロキサンが好ましい。これらの材料は、例えば、ＳＦ１０７５メチルフェニルの流体（ジェネラル・エレクトリック・カンパニー（General Electric Company）により販売されている）および５５６・コスメティック・グレード（556 Cosmetic Grade）・フェニル��トリメチコーンの流体（ダウ・コーニング・コーポレイション（Dow Corning Corporation）により販売されている）等のように、入手可能である。メチルデシル・シリコーンおよびメチルオクチル・シリコーン、等のような、アルキル化シリコーンも本発明において有用であり、ジェネラル・エレクトリック・カンパニー（General Electric Company）から、市場において入手可能である。本発明において同様に有用なものは、アルキル・メチコーンおよびアルキル・ジメチコーン、等のような、アルキル修飾されているシロキサンであり、この場合に、アルキル鎖は１０〜５０個の炭素を含んでいる。このようなシロキサンは、商品名を、ＡＢＩＬ  ＷＡＸ９８１０（Ｃ24〜Ｃ28のアルキル・メチコーン）（ゴールドシュミット（Goldschmidt）により販売されている）、および、ＳＦ１６３２（セテアリール・メチコーン）（ジェネラル・エレクトリック・カンパニー（General Electric Company）により販売されている）、として、市場において入手可能である。
【０１０１】
植物油および水素添加植物油もまた本発明において有用である。これらの植物油および水素添加植物油の例は、ベニバナ油、ヒマシ油、ココナッツ油、綿実油、ニシン油、ヤシ仁油（palm kernel oil）、ヤシ油、ピーナッツ油、ダイズ油、菜種油、アマニ油、コメヌカ油、マツ油、ゴマ油、ヒマワリ油、水素添加ベニバナ油、水素添加ヒマシ油、水素添加ココナッツ油、水素添加綿実油、水素添加ニシン油、水素添加ヤシ仁油、水素添加ヤシ油、水素添加ピーナッツ油、水素添加ダイズ油、水素添加菜種油、水素添加アマニ油、水素添加コメヌカ油、水素添加ゴマ油、水素添加ヒマワリ油、およびこれらの混合物、を含む。
【０１０２】
同様に有用なものは、ポリプロピレン・グリコールのＣ４〜Ｃ２０のアルキル・エーテル、ポリプロピレン・グリコールのＣ１〜Ｃ２０のカルボン酸エステル、およびジＣ８〜Ｃ３０アルキル・エーテル、である。これらの材料の非限定的な例は、ＰＰＧ−１４・ブチル・エーテル、ＰＰＧ−１５・ステアリル・エーテル、ジオクチル・エーテル、ドデシル・オクチル・エーテル、およびこれらの混合物を含む。
【０１０３】
疎水性のキレート化剤も、疎水性のコンディショニング用の物質として、本発明において有用である。適当な物質は、１９８３年６月７日に、スキャンロン（Scanlon）他に発行されている、米国特許第４，３８７，２４４号、および、１９９９年２月２６日に、シュワルツ（Schwartz）他により出願されている、同時係属の米国特許出願第０９／２５８，７４７号および同第０９／２５９，４８５号に記載されている。
【０１０４】
＜親水性のコンディショニング用の物質＞
本発明の用品は、１種類以上の親水性のコンディショニング用の物質を随意に、含有していてもよい。親水性のコンディショニング用の物質の非限定的な例は、多価アルコール、ポリプロピレン・グリコール、ポリエチレン・グリコール、尿素、ピロリドン・カルボン酸、エトキシル化および／またはプロポキシル化されたＣ３〜Ｃ６のジオールおよびトリオール、アルファ−ヒドロキシ・Ｃ２〜Ｃ６・カルボン酸、エトキシル化および／またはプロポキシル化された糖、ポリアクリル酸コポリマー、約１２個までの炭素原子を有する糖、約１２個までの炭素原子を有する糖アルコール、およびこれらの混合物、から成る群から選択されるものを含む。有用な親水性のコンディショニング用の物質の具体的な例は、尿素、グアニジン、グリコール酸およびグリコレートの塩（例えば、アンモニウムおよび第四級アルキル・アンモニウム）、乳酸およびラクテートの塩（例えば、アンモニウムおよび第四級アルキル・アンモニウム）、スクロース、フルクトース、グルコース、エルスロース、エリスリトール、ソルビトール、イナンニトール（inannitol）、グリセロール、ヘキサントリオール、プロピレン・グリコール、ブチレン・グリコール、へキシレン・グリコール、等と、ＰＥＧ−２、ＰＥＧ−３、ＰＥＧ−３０、ＰＥＧ−５０、等のようなポリエチレン・グリコールと、ＰＰＧ−９、ＰＰＧ−１２、ＰＰＧ−１５、ＰＰＧ−１７、ＰＰＧ−２０、ＰＰＧ−２６、ＰＰＧ−３０、ＰＰＧ−３４、等のようなポリプロピレン・グリコールと、アルコキシル化グルコース、ヒアルロン酸、カチオン性のスキン・コンディショニング用ポリマー（例えば、ポリクォーターニウム・ポリマー等のような第四級アンモニウム・ポリマー）、およびこれらの混合物、等のような材料、を含む。グリセロールは、特に、本発明の用品において、好ましい親水性のコンディショニング用の物質である。同様に有用なものは、種々の形態のうちの任意の形態のアロエ・ベラ（例えば、アロエ・ゲル）、キトサン、および、例えば、キトサン・ラクテート等のキトサン誘導体、ラクタミド・モノエタノールアミン、アセトアミド・モノエタノールアミン、およびこれらの混合物、等のような材料、である。同様に有用なものは、オール（Orr）他に、１９９０年１２月１１日に発行されている、米国特許第４，９７６，９５３号に記載されている、プロポキシル化グリセロールにおいて説明されているような、プロポキシル化グリセロールである。
【０１０５】
上記コンディショニング用の配合物は、さまざまな形態に作られてよい。本発明の一実施形態において、上記コンディショニング用の配合物はエマルジョンの形態である。例えば、水中油型、油中水型、水中油中水型、およびシリコーン中水中油型のエマルジョンが本発明において有用である。エマルジョンの状況において用いられる場合に、「水」は、水だけではなく、グリセリン等のような、水溶性または水混和性の物質にも言及しているものとする。
【０１０６】
好ましいコンディショニング用の配合物はエマルジョンを含み、このエマルジョンは、水性の相および油性の相をさらに含んでいる。熟練した当業者により理解されるように、成分中の治療に有益な物質の、水に対する溶解性／分散性に応じて、所定の成分が、水性の相または油性の相のいずれかに、主として、分布することになる。一実施形態において、油性の相は、１種類以上の疎水性のコンディショニング用の物質を含有している。また、別の実施形態において、水性の相は、１種類以上の親水性のコンディショニング用の物質を含有している。
【０１０７】
上記油性の相のための適当な油または脂質は、動物、植物、または石油から、誘導可能であり、天然または合成（すなわち、人工）であってもよい。このような油は、上記の「疎水性のコンディショニング用の物質」において、論じられている。また、適当な水性の相の成分は、上記において論じられているような、「親水性のコンディショニング用の物質」を含む。さらに、好ましいエマルジョンの形態は、油中水型エマルジョン、シリコーン中水型エマルジョン、および他の逆のエマルジョンを含む。加えて、好ましいエマルジョンは、油中グリセリン型エマルジョンが結果として生じるように、グリセリン等のような、親水性のコンディショニング用の物質も含有している。
【０１０８】
エマルジョンの形態におけるコンディショニング用の配合物は、好ましくは、そのコンディショニング用の配合物の重量に基づいて、約１％〜約１０％、さらに好ましくは、約２％〜約５％の乳化剤を含有することになる。これらの乳化剤は、非イオン性、アニオン性またはカチオン性であってよい。適当な乳化剤は、例えば、ディッカート（Dickert）他に、１９７３年８月２８日に発行されている、米国特許第３，７５５，５６０号、ディクソン（Dixon）他に、１９８３年１２月２０日に発行されている、米国特許第４，４２１，７６９号、およびマックカッチェオンズ，ディタージェンツ・アンド・エマルジファイアズ，ノース・アメリカン・エディション（McCutcheon's, Detergents and Emulsifiers, North American Edition），ｐ．３１７−３２４，（１９８６年）、に開示されている。エマルジョンの形態のコンディショニング用の配合物はまた、皮膚への適用時に、発泡を最小限にするために、消泡剤を含有していてもよい。これらの消泡剤は、高分子量シリコーン、およびそのような用途のために当業界において良く知られている他の材料を含む。
【０１０９】
上記コンディショニング用の配合物はまた、マイクロエマルジョンの形態であってもよい。本明細書において用いられる場合に、「マイクロエマルジョン」は、両親媒性の分子、すなわち、界面活性剤、により、安定化されている、２種類の混ざらない溶媒（一方は無極性であり、他方は極性である）の熱力学的に安定した混合物を言う。好ましいマイクロエマルジョンは、油中水型のマイクロエマルジョンを含む。
【０１１０】
＜組織化されたコンディショニング用の物質＞
上記コンディショニング用の配合物は、組織化されたコンディショニング用の物質を含有していてもよい。適当な組織化されたコンディショニング用の物質は、セラミド、リポソーム、等のような、小胞構造を含むが、これらに限定されない。
【０１１１】
別の実施形態において、上記コンディショニング用の配合物は、コアセルベート形成用の組成物中に含まれる。好ましくは、このコアセルベート形成用の組成物は、カチオン性のポリマー、アニオン性の界面活性剤、およびこれらのポリマーおよび界面活性剤のための、皮膚科学的に許容可能なキャリアを含む。上記カチオン性のポリマーは、天然の主鎖の第四級アンモニウムのポリマー、合成の主鎖の第四級アンモニウムのポリマー、天然の主鎖の両性型ポリマー、合成の主鎖の両性型ポリマー、およびこれらの組み合わせから成る群から選択できる。
【０１１２】
さらに好ましくは、上記カチオン性のポリマーは、ポリクォーターニウム−４、ポリクォーターニウム−１０、ポリクォーターニウム−２４、ＰＧ−ヒドロキシエチルセルロース・アルキルジモニウム・クロリド、グアー・ヒドロキシプロピルトリモニウム・クロリド、ヒドロキシプロピルグアー・ヒドロキシプロピルトリモニウム・クロリド、およびこれらの組み合わせから成る群から選択される、天然の主鎖の第四級アンモニウムのポリマーと、ポリクォーターニウム−２、ポリクォーターニウム−６、ポリクォーターニウム−７、ポリクォーターニウム−１１、ポリクォーターニウム−１６、ポリクォーターニウム−１７、ポリクォーターニウム−１８、ポリクォーターニウム−２８、ポリクォーターニウム−３２、ポリクォーターニウム−３７、ポリクォーターニウム−４３、ポリクォーターニウム−４４、ポリクォーターニウム−４６、ポリメタクリルアミドプロピル・トリモニウム・クロリド、アクリルアミドプロピル・トリモニウム・クロリド／アクリルアミドのコポリマー、およびこれらの組み合わせから成る群から選択される、合成の主鎖の第四級アンモニウムのポリマーと、キトサン、第四級化蛋白質、加水分解化蛋白質、およびこれらの組み合わせから成る群から選択される、天然の主鎖の両性型ポリマーと、ポリクォーターニウム−２２、ポリクォーターニウム−３９、ポリクォーターニウム−４７、アジピン酸／ジメチルアミノヒドロキシプロピル・ジエチレントリアミンのコポリマー、ポリビニルピロリドン／ジメチルアミノエチルメタクリレートのコポリマー、ビニルカプロラクタム／ポリビニルピロリドン／ジメチルアミノエチルメタクリレートのコポリマー、ビニルカプロラクタム／ポリビニルピロリドン／ジメチルアミノプロピルメタクリルアミドのターポリマー、ポリビニルピロリドン／ジメチルアミノプロピルメタクリルアミドのコポリマー、ポリアミド、およびこれらの組み合わせから成る群から選択される、合成の主鎖の両性型ポリマーと、これらの組み合わせから成る群から選択される。さらに好ましくは、上記カチオン性のポリマーは合成の主鎖の両性型ポリマーである。さらに好ましくは、上記カチオン性のポリマーはポリアミンである。
【０１１３】
上記カチオン性のポリマーがポリアミンである場合に、このカチオン性のポリアミン・ポリマーは、ポリエチレンイミン、ポリビニルアミン、ポリプロピレンイミン、ポリリジン、およびこれらの組み合わせから成る群から選択されることが好ましい。さらに好ましくは、上記カチオン性のポリアミン・ポリマーはポリエチレンイミンである。
【０１１４】
上記カチオン性のポリマーがポリアミンである特定の実施形態において、このポリアミンは、疎水性または親水性に変性されてもよい。この場合に、このカチオン性のポリアミン・ポリマーは、ベンジル化ポリアミン、エトキシル化ポリアミン、プロポキシル化ポリアミン、アルキル化ポリアミン、アミド化ポリアミン、エステル化ポリアミン、およびこれらの組み合わせから成る群から選択される。上記コアセルベート形成用の組成物は、このコアセルベート形成用の組成物の、約０．０１〜約２０重量％、さらに好ましくは、約０．０５〜約１０重量％、最も好ましくは約０．１〜約５重量％のカチオン性のポリマーを含有している。
【０１１５】
適当なアニオン性の界面活性剤は、上記の「クレンジング用配合物」において、論じられているものを含む。好ましくは、コアセルベート形成用の組成物のためには、アニオン性の界面活性剤は、サルコシネート、グルタメート、ナトリウム・アルキル・サルフェート、アンモニウム・アルキル・サルフェート、ナトリウム・アルキレス・サルフェート、アンモニウム・アルキレス・サルフェート、アンモニウム・ラウレス−ｎ−サルフェート、ナトリウム・ラウレス−ｎ−サルフェート、イセチオネート、グリセリルエーテル・スルホネート、スルホスクシネート、およびこれらの組み合わせから成る群から選択される。さらに好ましくは、上記アニオン性の界面活性剤は、ナトリウム・ラウロイル・サルコシネート、モノナトリウム・ラウロイル・グルタメート、ナトリウム・アルキル・サルフェート、アンモニウム・アルキル・サルフェート、ナトリウム・アルキレス・サルフェート、アンモニウム・アルキレス・サルフェート、およびこれらの組み合わせから成る群から選択される。
【０１１６】
あるいは、上記コアセルベート形成用の組成物は、アニオン性のポリマー、カチオン性の界面活性剤、および、これらのポリマーおよび界面活性剤のための、皮膚科学的に許容可能なキャリアを含有していてよい。このアニオン性のポリマーは、ポリアクリル酸ポリマー、ポリアクリルアミド・ポリマー、アクリル酸のコポリマー、アクリルアミド、およびその他の天然または合成のポリマー（例えば、ポリスチレン、ポリブテン、ポリウレタン、等）、天然に誘導されているガム、およびこれらの組み合わせから成る群から選択されてよい。適当なガムは、アルギネート（例えば、プロピレン・グリコール・アルギネート）、ペクチン、キトサン（例えば、キトサン・ラクテート）、および変性ガム（例えば、デンプン・オクテニル・スクシネート）、およびこれらの組み合わせを含む。さらに好ましくは、上記アニオン性ポリマーは、ポリアクリル酸ポリマー、ポリアクリルアミド・ポリマー、ペクチン、キトサン、およびこれらの組み合わせから成る群から選択される。本発明の好ましい用品は、上記コアセルベート形成用の組成物の、約０．０１〜約２０重量％、さらに好ましくは約０．０５％〜約１０重量％、最も好ましくは約０．１〜約５重量％のアニオン性のポリマーを含有している。適当なカチオン性の界面活性剤は、本明細書において論じられているものを含むが、これらに限定されない。
【０１１７】
一実施形態において、上記スキン・トリートメント用の配合物は、ヒドロキシ酸、ベンゾイル・ペルオキシド、サルファー・レゾルシノール、アスコルビン酸、Ｄ−パンテノール、ヒドロキノン、オクチル・メトキシシンナメート（octyl methoxycinnimate）、二酸化チタン、オクチル・サリシレート、ホモサレート、アボベンゾン（avobenzone）、ポリフェノール（polyphenolics）、カロテノイド、フリー・ラジカル・スカベンジャー、スピン・トラップ、レチノールおよびレチニル・パルミテート等のようなレチノイド、セラミド、ポリ不飽和脂肪酸、必須脂肪酸、酵素、酵素抑制因子、鉱物、エストロゲン等のようなホルモン、ヒドロコルチゾン等のようなステロイド、２−ジメチルアミノエタノール、塩化銅等のような銅塩、Ｃｕ：Ｇｌｙ−Ｈｉｓ−ＬｙｓおよびコエンザイムＱ１０、等のような、銅を含有しているペプチド、リポ酸、プロリンおよびチロシン、等のような、アミノ酸、ビタミン、ラクトビオニック酸、アセチル−コエンザイム・Ａ、ナイアシン、リボフラビン、チアミン、リボース、ＮＡＤＨおよびＦＡＤＨ２、等のような、電子伝達因子、およびその他の、アロエ・ベラおよびダイズ・マメ等のようなマメ科植物、等の、植物抽出物、およびこれらの誘導体および混合物から成る群から選択されるが、これらに限定されない、美容用として活性な物質を含有している。
【０１１８】
上記の美容用として活性な物質は、典型的には、他の配合物の、約０．００１〜約２０重量％、例えば、約０．０１〜約１０重量％、約０．１〜約５重量％、の量で、存在することになる。
【０１１９】
酸化防止剤の例は、スルフヒドリル化合物およびこれらの誘導体（例えば、メタ重亜硫酸ナトリウム（sodium metabisulfite）およびＮ−アセチル−システイン）、リポ酸およびジヒドロリポ酸、レスベラトール、ラクトフェリン、およびアスコルビン酸およびアスコルビン酸誘導体（例えば、アスコルビル・パルミテートおよびアスコルビル・ポリペプチド）、等のような、水溶性の酸化防止剤、を含むが、これらに限定されない。また、本発明の組成物における使用に適している油溶性の酸化防止剤は、ブチル化ヒドロキシトルエン、レチノイド（例えば、レチノールおよびレチニル・パルミテート）、トコフェロール（例えば、トコフェロール・アセテート）、トコトリエノール、およびユビキノン、を含むが、これらに限定されない。また、本発明の組成物における使用に適している、酸化防止剤を含有している天然の抽出物は、フラボノイドおよびイソフラボノイドおよびこれらの誘導体（例えば、ゲニステインおよびジアドゼイン（diadzein））、を含有している抽出物、レスベラトール等、を含有している抽出物、を含むが、これらに限定されない。また、上記のような天然の抽出物の例は、ブドウ種、緑茶、マツ樹皮、およびプロポリス、を含む。さらに、酸化防止剤の別の例は、ＩＣＩ・ハンドブックのｐ．１６１２〜１３において、見ることができる。
【０１２０】
＜しわ防止剤＞
本発明の用品は、皮膚のしわを、予防し、遅らせ、抑え、かつ／または、後退させるための、１種類以上の物質、を含有していてよい。適当な皮膚治療用の物質の例は、乳酸およびグリコール酸等のようなアルファ−ヒドロキシ酸と、サリチル酸等のようなベータ−ヒドロキシ酸と、を含むが、これらに限定されない。
【０１２１】
＜抗アクネ剤＞
本発明の用品のために有用な、抗アクネ用の活性物質の例は、サリチル酸（ｏ−ヒドロキシ安息香酸）、５−オクタノイル・サリチル酸等のようなサリチル酸誘導体、およびレゾルシノール等のような角質溶解剤と、レチン酸およびその誘導体（例えば、シス体およびトランス体）等のようなレチノイドと、イオウ含有のＤ形およびＬ形のアミノ酸およびこれらの誘導体および塩（特に、これらのＮ−アセチル誘導体であり、この好ましい例はＮ−アセチル−Ｌ−システインである）と、リポ酸と、ベンゾイル・ペルオキシド、オクトピロックス、テトラサイクリン、２，４，４’−トリクロロ−２’−ヒドロキシ・ジフェニル・エーテル、３，４，４’−トリクロロバニリド、アゼライン酸およびその誘導体、フェノキシエタノール、フェノキシプロパノール、フェノキシイソプロパノール、エチル・アセテート、クリンダマイシンおよびメクロサイクリン、等のような、抗生物質および抗菌剤と、フラボノイド等のような皮脂抑制剤（sebostat）と、スキムノール硫酸およびその誘導体、デオキシコレート、およびコレート、等のような、胆汁酸塩と、を含むが、これらに限定されない。
【０１２２】
＜しわ防止用および皮膚萎縮防止用の活性物質＞
本発明の用品のために有用な、しわ防止および皮膚萎縮防止用の活性物質の例は、レチン酸およびその誘導体（例えば、シス体およびトランス体）、レチノール、レチニル・エステル、ナイアシンアミド、サリチル酸およびその誘導体、イオウ含有のＤ形およびＬ形のアミノ酸およびこれらの誘導体および塩（特に、これらのＮ−アセチル誘導体であり、この好ましい例はＮ−アセチル−Ｌ−システインである）、チオール、例えば、エタン・チオール、ヒドロキシ酸、フィチン酸、リポ酸、リソホスファチド酸、および皮膚剥脱剤（例えば、フェノール等）、を含むが、これらに限定されない。
【０１２３】
＜非ステロイド抗炎症薬（ＮＳＡＩＤＳ）＞
本発明の用品のために有用なＮＳＡＩＤＳの例は、以下のカテゴリ、すなわち、プロピオン酸誘導体、酢酸誘導体、フェナム酸誘導体、ビフェニルカルボン酸誘導体、およびオキシカム（oxicam）、を含むが、これらに限定されない。これらのＮＳＡＩＤＳの全ては、全体が参照により本明細書に組み込まれている、サンシャイン（Sunshine）他に、１９９１年１月１５日に、発行されている、米国特許第４，９８５，４５９号において、完全に記載されている。また、有用なＮＳＡＩＤＳの例は、アセチル・サリチル酸、イブプロフェン、ナプロキセン、ベノキサプロフェン、フルルビプロフェン、フェノプロフェン、フェンブフェン、ケトプロフェン、インドプロフェン、ピルプロフェン、カルプロフェン、オキサプロジン、プラノプロフェン、ミロプロフェン、チオキサプロフェン、スプロフェン、アルミノプロフェン、チアプロフェン酸、フルプロフェンおよびブクロキシン酸、を含む。同様に有用なものは、ヒドロコルチゾン等、を含む、ステロイド抗炎症薬、である。
【０１２４】
＜局所麻酔薬＞
本発明の用品のために有用な局所麻酔薬の例は、ベンゾカイン、リドカイン、ブピバカイン、クロルプロカイン、ジブカイン、エチドカイン、メピバカイン、テトラカイン、ジクロニン、ヘキシルカイン、プロカイン、コカイン、ケタミン、プラモキシン、フェノール、および薬剤として許容可能なこれらの塩、を含むが、これらに限定されない。
【０１２５】
＜人工日焼け用の活性物質および促進剤＞
本発明の用品のために有用な、人工日焼け用の活性物質および促進剤の例は、ジヒドロキシアセトン、チロシン、エチル・チロシネート等のようなチロシン・エステル、およびホスホ−ＤＯＰＡ、を含むが、これらに限定されない。
【０１２６】
＜抗菌剤および抗真菌剤＞
本発明の用品のために有用な、抗菌剤および抗真菌剤の例は、ベータ−ラクタム薬、キノロン薬、シプロフロキサシン、ノルフロキサシン、テトラサイクリン、エリスロマイシン、アミカシン、２，４，４’−トリクロロ−２’−ヒドロキシ・ジフェニル・エーテル、３，４，４’−トリクロロカルバニリド、フェノキシエタノール、フェノキシ・プロパノール、フェノキシイソプロパノール、ドキシサイクリン、カプレオマイシン、クロルヘキシジン、クロルテトラサイクリン、オキシテトラサイクリン、クリンダマイシン、エタンブトール、ヘキサミジン・イセチオネート、メトロニダゾール、ペンタミジン、ゲンタマイシン、ケナマイシン、リネオマイシン、メタサイクリン、メテナミン、ミノサイクリン、ネオマイシン、ネチルマイシン、パロモマイシン、ストレプトマイシン、トブラマイシン、ミコナゾール、塩酸テトラサイクリン、エリスロマイシン、亜鉛エリスロマイシン（zinc erythromycin）、エリスロマイシン・エストレート、エリスロマイシン・ステアレート、硫酸アミカシン、塩酸ドキシサイクリン、硫酸カプレオマイシン、クロルヘキシジン・グルコネート、塩酸クロルヘキシジン、塩酸クロルテトラサイクリン、塩酸オキシテトラサイクリン、塩酸クリンダマイシン、塩酸エタンブトール、塩酸メトロニダゾール、塩酸ペンタミジン、硫酸ゲンタマイシン、硫酸カナマイシン、塩酸リネオマイシン、塩酸メタサイクリン、メテナミン・ヒップレート、メテナミン・マンデレート、塩酸ミノサイクリン、硫酸ネオマイシン、硫酸ネチルマイシン、硫酸パロモマイシン、硫酸ストレプトマイシン、硫酸トブラマイシン、塩酸ミコナゾール、塩酸アマンファジン、硫酸アマンファジン、オクトピロックス、パラクロロメタ・キシレノール、ナイスタチン、トルナフテート、ジンク・ピリチオンおよびクロトリマゾール、を含むが、これらに限定されない。
【０１２７】
＜抗ウイルス剤＞
本発明の用品は、１種類以上の抗ウイルス剤をさらに含有することも可能である。適当な抗ウイルス剤は、金属塩（例えば、硝酸銀、硫酸銅、塩化鉄、等）および有機酸（例えば、リンゴ酸、サリチル酸、コハク酸、安息香酸、等）、を含むが、これらに限定されない。特に、付加的で、適当な、抗ウイルス剤、を含有している組成物は、同時係属の特許出願である、米国特許出願第０９／４２１，０８４号（ベールセ（Beerse）他）、米国特許出願第０９／４２１，１３１号（ビーダーマン（Biederman）他）、米国特許出願第０９／４２０，６４６号（モーガン（Morgan）他）、および米国特許第０９／４２１，１７９号（ペイジ（Page）他）、において記載されているもの、を含み、これらは、それぞれ、１９９９年１０月１９日に出願されている。
【０１２８】
＜酵素＞
本発明の用品は、１種類以上の酵素を随意に含有できる。好ましくは、これらの酵素は、皮膚科学的に許容可能である。適当な酵素は、ケラチナーゼ、プロテアーゼ、アミラーゼ、サブチリジン、等、を含むが、これらに限定されない。
【０１２９】
＜サンスクリーン＞
多様なサンスクリーンが、ハフェイ（Haffey）他に、１９９２年２月１１日に発行されている、米国特許第５，０８７，４４５号、ターナー（Turner）他に、１９９１年１２月１７日に出願されている、米国特許第５，０７３，３７２号、ターナー（Turner）他に、１９９１年１２月１７日に出願されている、米国特許第５，０７３，３７１号、およびセガリン（Segarin）他，コスメティクス・サイエンス・アンド・テクノロジー（Cosmetics Science and Technology）の、第ＶＩＩＩ章、ｐ．１８９以下、に記載されており、これらの全ては、その全体として、参照により本明細書に組み込まれている。本発明の組成物において有用であるサンスクリーンの非限定的な例は、２−エチルヘキシル・ｐ−メトキシシンナメート、２−エチルヘキシル・Ｎ，Ｎ−ジメチル−ｐ−アミノベンゾエート、ｐ−アミノ安息香酸、２−フェニルベンゾイミダゾール−５−スルホン酸、オクトクリレン、オキシベンゾン、ホモメチル・サリチレート、オクチル・サリチレート、４，４’−メトキシ−ｔ−ブチルジベンゾイルメタン、４−イソプロピル・ジベンゾイルメタン、３−ベンジリデン・カンファー、３−（４−メチルベンジリデン）カンファー、二酸化チタン、酸化亜鉛、シリカ、酸化鉄、およびこれらの混合物、から成る群、から選択されるものである。さらに別の有用なサンスクリーンは、サバテリ（Sabatelli）に、１９９０年６月２６日に発行されている、米国特許第４，９３７，３７０号、サバテリ（Sabatelli）に、１９９１年３月１２日に発行されている、米国特許第４，９９９，１８６号、において開示されているものであり、これら二つの参照文献は、全体として、参照により本明細書に組み込まれている。これらのサンスクリーンの特に好ましい例は、２，４−ジヒドロキシベンゾフェノンの４−Ｎ，Ｎ−（２−エチルヘキシル）メチルアミノ安息香酸エステル、４−ヒドロキシジベンゾイルメタンとの４−Ｎ，Ｎ−（２−エチルヘキシル）メチルアミノ安息香酸エステル、２−ヒドロキシ−４−（２−ヒドロキシエトキシ）ベンゾフェノンの４−Ｎ，Ｎ−（２−エチルヘキシル）メチルアミノ安息香酸エステル、４−（２−ヒドロキシエトキシ）ジベンゾイルメタンの４−Ｎ，Ｎ−（２−エチルヘキシル）メチルアミノ安息香酸エステル、およびこれらの混合物、から成る群、から選択されるもの、を含む。採用できるサンスクリーンの正確な量は、選択されるサンスクリーンと、達成される所望の日焼け防止指数（ＳＰＦ）と、により、変わることになる。ＳＰＦは、紅斑に対する、サンスクリーンの一般的に用いられている光保護手段である。例えば、フェデラル・レジスター（Federal Register），４３巻，１６６号、ｐ．３８２０６〜３８２６９，１９７８年８月２５日、を参照されたく、この文献は、全体として、参照により本明細書に組み込まれている。
【０１３０】
＜他の随意の成分＞
本発明の用品は、本発明の有益な効果を許容不可能に変えない限りにおいて、スキン・トリートメント用の製品に従来から用いられている、さまざまな随意の成分を含有していてよい。これらの随意の成分は、人間の皮膚および毛髪への適用に適している必要があり、すなわち、上記の用品に混合される場合には、これらは、不適当な、毒性、非相溶性、不安定性、アレルギー反応、等、を伴わず、かつ、健全な医療または調合者の判断の範囲内において、人間の皮膚と接触した状態で使用するのに適している。シー・ティー・エフ・エー・コスメティック・イングリーディエント・ハンドブック・セカンド・エディション（CTFA Cosmetic Ingredient Handbook Second Edition）、（１９９２年）、は、スキン・ケア産業において一般的に用いられている、広範囲の非限定的な、美容用および薬剤用の成分を記載しており、これらの成分は、本発明の用品における使用に適している。
【０１３１】
上記成分の種類の例は、酵素、研磨剤、皮膚剥離剤、吸収剤と、芳香剤、顔料、着色剤、エッセンシャル・オイル、スキン・センセート、収れん剤、等（例えば、チョウジ油、メントール、樟脳、ユーカリ油、オイゲノール、メンチル・ラクテート、マンサク蒸留物）、等のような、美観用成分と、抗固化剤、消泡剤、付加的な抗菌剤（例えば、ヨードプロピル・ブチルカルバメート）、酸化防止剤、結合剤、生物学的添加物、緩衝薬、増量剤、キレート化剤、化学的添加物、美容用殺生物剤、変性剤、外部鎮痛薬、膜形成剤または材料、例えば、組成物の膜形成特性および実質性を補助するための、ポリマー（例えば、エイコセンとビニル・ピロリドンとのコポリマー）、湿潤薬、不透明化剤、ｐＨ調節剤、推進薬、還元剤、金属イオン封鎖剤、皮膚漂白剤（または脱色剤）（例えば、ヒドロキノン、コウジ酸、アスコルビン酸、マグネシウム・アスコルビル・ホスフェート、アスコルビル・グルコサミン）、皮膚柔軟剤および／または治癒剤（例えば、パンテノールおよび誘導体（例えば、エチル・パンテノール）、アロエ・ベラ、パントテン酸およびその誘導体、アラントイン、ビサボロール、および二カリウム・グリシルヒジネート）、皮膚のしわを予防し、遅らせ、抑え、かつ／または、後退させるための、物質（例えば、乳酸およびグリコール酸、等のような、アルファ−ヒドロキシ酸、およびサリチル酸等のようなベータ−ヒドロキシ酸）、増粘剤、ヒドロコロイド、特定のゼオライト、およびビタミンおよびそれらの誘導体（例えば、トコフェロール、トコフェロール・アセテート、ベータ・カロテン、レチン酸、レチノール、レチノイド、レチニル・パルミテート、ナイアシン、ナイアシンアミド、等）、を含む。
【０１３２】
本発明の用品は、当業界において知られているキャリア成分、を含むことができる。そのようなキャリアは、皮膚または毛髪への適用に適している、１種類以上の相溶性の、液体または固体の増量希釈剤（filler diluent）または賦形剤（vehicle）、を含むことができる。
【０１３３】
好ましい用品は、その中に、安全で有効な量の成分、すなわち、肯定的な作用または有益な効果をかなり誘発させるために十分であるが、深刻な副作用（例えば、過度の毒性またはアレルギー性の反応）を避けるために十分に低量である、すなわち、健全な医療の判断の範囲内で、危険な割合に対して、妥当な有益な効果を与えるための、一定の量の化合物または成分を随意に含有している。
【０１３４】
本発明において有用な随意の成分は、これらの成分の治療または美観の有益な効果、またはそれらの仮定される作用方式により分類できる。しかしながら、本発明において有用な随意の成分は、いくつかの場合においては、２種類以上の治療または美観の有益な効果を与えることができ、２種類以上の作用により影響を与えることができることが理解されるであろう。それゆえ、本明細書における分類は、便宜上行なわれたものであり、上記の成分を、列挙されている特定の１つまたは複数の適用に限定することを意図するものではない。また、適用可能である場合には、上記の成分の薬剤として許容可能な塩も、本発明において有用である。
【０１３５】
別の随意の成分は以下のものを含む。
【０１３６】
＜ビタミン化合物＞
本発明の用品は、ビタミンの化合物、前駆体、およびこれらの誘導体、を含むことができる。これらのビタミンの化合物は、天然または合成の形態の、いずれであってもよい。適当なビタミン化合物は、ビタミンＡ（例えば、ベータ・カロテン、レチン酸、レチノール、レチノイド、レチニル・パルミテート、レチニル・プロピオネート、等）、ビタミンＢ（例えば、ナイアシン、ナイアシンアミド、リボフラビン、パントテン酸、等）、ビタミンＣ（例えば、アスコルビン酸、等）、ビタミンＤ（例えば、エルゴステロール、エルゴカルシフェロール、コレカルシフェロール、等）、ビタミンＥ（例えば、トコフェロール・アセテート、等）、およびビタミンＫ（例えば、フィトナジオン、メナジオン、フチオコル、等）、の化合物、を含むが、これらに限定されない。
【０１３７】
特に、本発明の用品は、安全で有効な量の、ビタミンＢ3 の化合物、を含有できる。これらのビタミンＢ3 の化合物は、全体として、参照により本明細書に組み込まれている、１９９７年４月１１日に出願されている、同時係属の、米国特許出願第０８／８３４，０１０号（１９９７年１０月３０日に公開されている、ＰＣＴ国際公開第ＷＯ９７／３９７３３Ａ１号、に相当する）において記載されているように、皮膚の状況を調節するために、特に有用である。
【０１３８】
本明細書において用いられる場合に、「ビタミンＢ3 の化合物」は、以下の化学式を有する化合物、を意味する。
【化６】
2008023327.tif 000008
この場合に、Ｒは、−−ＣＯＮＨ2 （すなわち、ナイアシンアミド）、−−ＣＯＯＨ（すなわち、ニコチン酸）または−−ＣＨ2 ＯＨ（すなわち、ニコチニル・アルコール）、これらの誘導体、および上記のもののいずれかの塩、である。
【０１３９】
上記ビタミンＢ3 の化合物の例示的な誘導体は、ニコチン酸の非血管拡張性のエステル、ニコチニル・アミノ酸、カルボン酸のニコチニル・アルコール・エステル、ニコチン酸Ｎ−オキシド、およびナイアシンアミド・Ｎ−オキシド、を含む、ニコチン酸エステル、を含む。
【０１４０】
適当なビタミンＢ3 の化合物の例は当業界において良く知られており、例えば、シグマ・ケミカル・カンパニー（Sigma Chemical Company）（セント・ルイス、ミズーリー州）、アイ・シー・エヌ・バイオメディカルズ，インコーポレイテッド（ICN Biomedicals Inc.）（アービン、カリホルニア州）、およびアルドリッチ・ケミカル・カンパニー（Aldrich Chemical Company）（ミルウォーキー、ウィスコンシン州）、等の、多数の供給元から、市場において入手可能である。
【０１４１】
上記ビタミンの化合物は、実質的に純粋な材料として、あるいは、天然の（例えば、植物の）供給源からの、適当な物理的および／または化学的な単離、により得られる抽出物として、含まれていてよい。
【０１４２】
＜ヒドロコロイド＞
ヒドロコロイドは本発明の用品の中に随意に含有されていてもよい。ヒドロコロイドは当業界において良く知られており、本発明のクレンジング用の成分の中に含有されている界面活性剤の耐用寿命を延ばすことにおいて役立ち、これにより、本発明の用品は、少なくとも１回の完全なシャワーまたは入浴経験の間中持ちこたえることができるようになる。適当なヒドロコロイドは、キサンタン・ガム、カルボキシルメチル・セルロース、ヒドロキシエチル・セルロース、ヒドロキシプロピル・セルロース、メチルおよびエチルのセルロース、天然ゴム、グドラス・グアー・ガム、ビーン・ガム、天然デンプン、脱イオン化デンプン（例えば、デンプン・オクテニル・スクシネート）等、を含むが、これらに限定されない。
【０１４３】
＜発熱性ゼオライト＞
水と混合されると発熱的に反応する、ゼオライトおよびその他の化合物も、本発明の用品の中に随意に含有されていてよい。
【０１４４】
＜ヒドロゲル形成用の高分子ゲル化剤＞
本発明の特定の実施形態において、上記用品は、ヒドロゲル形成用の高分子ゲル化剤と水とから形成される、水性ゲル、すなわち、「ヒドロゲル」を随意に含有していてよい。さらに具体的には、上記ヒドロゲルは、用品のクレンジング用成分または治療に有益な成分中に含有されている。
【０１４５】
一般に、本発明のヒドロゲル形成用の高分子ゲル化剤の材料は、水溶性であるか、加水分解すると水溶性になる、重合可能な、不飽和の、酸含有のモノマーから、調製された、少なくとも部分的に架橋されているポリマーである。これらのポリマーは、少なくとも１個の親水性のラジカルを有する、モノエチレンとして不飽和な化合物を含み、これらの化合物は、少なくとも１個の炭素−炭素間のオレフィンの二重結合を含む、オレフィンとして不飽和な酸および酸無水物を含む（がこれらに限定されない）。
【０１４６】
本発明におけるヒドロゲル形成用の高分子ゲル化剤は、好ましくは、結果として得られるポリマーが、約１４０℃よりも低いガラス転移温度（Ｔｇ）を示さないように十分に高くなるような、十分な程度まで、部分的に架橋されており、したがって、用語の「ヒドロゲル形成用の高分子ゲル化剤」は、本明細書において用いられる場合に、上記のパラメータを充たすポリマー、を意味することになる。好ましくは、このヒドロゲル形成用の高分子ゲル化剤は、約１８０℃よりも低いＴｇを有さず、さらに好ましくは、約３００℃以上の温度における、ポリマーの分解の前に、Ｔｇを有さない。このＴｇは、５ｍｇまたはそれよりも少ないサンプルを用いて、２０．０℃／分の加熱率で行なわれる、示差走査型熱量測定法（ＤＳＣ）により、決定できる。また、このＴｇは、ＤＳＣの熱容量加熱曲線におけるガラス転移点に相当する、熱流変化の開始と終了との間の中間点として、計算される。Ｔｇを決定するためのＤＳＣの使用は当業界において良く知られており、ビー・カッセル（B. Cassel）およびエム・ピー・ディビィト（M. P. DiVito），「正確な熱力学的および動力学的データを得るためのＤＳＣの使用法（Use of DSC To Obtain Accurate Thermodynamic and Kinetic Data）」，アメリカン・ラボラトリー（American Laboratory），１９９４年１月，ｐ．１４〜１９、により、また、ビー・ウンデルリッヒ（B. Wunderlich），熱分析（Thermal Analysis），アカデミック・プレス・インコーポレイテッド（Academic Press Inc.），１９９０年、により、記載されている。
【０１４７】
上記ヒドロゲル形成用の高分子材料は、高度に吸収性であるとして、特徴づけられており、その吸収状態または「ゲル」の状態において、水を保持することができる。本発明の好ましいヒドロゲル形成用の高分子材料は、１グラムのゲル化剤当たりに、少なくとも約４０ｇ、好ましくは、少なくとも約６０／ｇ、さらに好ましくは、少なくとも約８０ｇ／ｇ、の水（脱イオン化されている）を吸収することが可能になる。
【０１４８】
本発明のヒドロゲル形成用の高分子ゲル化剤は、一般に、少なくとも部分的に架橋される。適当な架橋剤は当業界において良く知られており、例えば、（１）少なくとも２個の重合可能な二重結合を有する化合物と、（２）少なくとも１個の重合可能な二重結合、および、上記酸含有のモノマー材料に対して反応性の、少なくとも１個の官能性の基を有する化合物と、（３）上記酸含有のモノマー材料に対して反応性の、少なくとも２個の官能性の基を有する化合物と、（４）イオン性の架橋を形成できる、多価金属化合物と、を含む。
【０１４９】
少なくとも２個の重合可能な二重結合を有する架橋剤は、（ｉ）ジビニルベンゼンおよびジビニルトルエン等のような、ジ−またはポリビニルの化合物と、（ｉｉ）例えば、エチレン・グリコール、トリメチロール・プロパン、グリセリン、またはポリオキシエチレン・グリコール、等のような、ポリオールの、ジ−またはトリアクリル酸のエステル等、を含む、ポリオールとの不飽和なモノ−またはポリ−カルボン酸の、ジ−またはポリ−エステルと、（ｉｉｉ）Ｎ，Ｎ−メチレンビスアクリルアミド等のようなビスアクリルアミドと、（ｉｖ）ポリイソシアネートをヒドロキシル基含有のモノマーと反応させることにより得られるカルバミル・エステルと、（ｖ）ポリオールの、ジ−またはポリ−アリル・エステルと、（ｖｉ）ジアリル・フタレート、ジアリル・アジペート、等のような、ポリカルボン酸の、ジ−またはポリ−アリル・エステルと、（ｖｉｉ）ポリエチレン・グリコール・モノアリル・エーテルのアクリル酸エステル等のような、ポリオールのモノ−アリル・エステルとの不飽和なモノ−またはポリ−カルボン酸のエステルと、（ｖｉｉｉ）ジ−またはトリ−アリル・アミンと、を含む。
【０１５０】
少なくとも１個の重合可能な二重結合と、上記酸含有のモノマー材料に対して反応性の、少なくとも１個の官能性の基と、を有する架橋剤は、Ｎ−メチロール・アクリルアミド、グリシジル・アクリレート、等、を含む。また、上記酸含有のモノマー材料に対して反応性の少なくとも２個の官能性の基、を有する適当な架橋剤は、グリオキサール、エチレン・グリコールおよびグリセロール等のようなポリオール、アルキレン・ジアミン（例えば、エチレン・ジアミン）、ポリアルキレン・ポリアミン、ポリエポキシド、ジ−またはポリグリシジル・エーテル、等のような、ポリアミン、を含む。また、イオン性の架橋を形成できる適当な多価金属架橋剤は、例えば、酸化カルシウムおよび二酢酸亜鉛等、を含む、アルカリ土類金属（例えば、カルシウム、マグネシウム）および亜鉛の、酸化物、水酸化物、および弱酸の塩（例えば、炭酸塩、酢酸塩、等）、を含む。
【０１５１】
上記の種類の多くの架橋剤は、１９７８年２月２８日に発行されている、マスダ（Masuda）他の、米国特許第４，０７６，６６３号、１９８９年８月２９日に発行されている、アレン（Allen）他の、米国特許第４，８６１，５３９号、において、さらに詳細に記載されており、これらは共に、参照により本明細書に組み込まれている。好ましい架橋剤は、上記の、ポリオールの、不飽和なモノ−またはポリカルボン酸のモノ−アリル・エステルの、ジ−またはポリエステルと、上記のビスアクリルアミドと、上記のジ−またはトリ−アリル・アミンと、を含む。特に好ましい架橋剤の具体的な例は、Ｎ，Ｎ’−メチレンビスアクリルアミドおよびトリメチロール・プロパン・トリアクリレート、を含む。
【０１５２】
上記架橋剤は、一般に、結果として得られるヒドロゲル形成用の高分子材料の、約０．００１モル・パーセント〜５モル・パーセント、を占める。さらに一般的には、上記架橋剤は、本発明において用いられる、ヒドロゲル形成用の高分子ゲル化剤の、約０．０１モル・パーセント〜３モル・パーセント、を占めることになる。
【０１５３】
本発明のヒドロゲル形成用の高分子ゲル化剤は、それぞれの部分的に中和された形態で、採用できる。本発明の目的において、このような材料は、ポリマーを形成するために用いられるモノマーの少なくとも２５モル・パーセント、好ましくは少なくとも５０モル・パーセントが、塩基により中和されている酸性の基を含むモノマーである場合に、部分的に中和されていると見なされる。適当な中和用の塩基性のカチオンは、アルカリおよびアルカリ土類金属の水酸化物（例えば、ＫＯＨ、ＮａＯＨ）、アンモニウム、置換アンモニウム、およびアミノアルコール（例えば、２−アミノ−２−メチル−１，３−プロパンジオール、ジエタノールアミン、および２−アミノ−２−メチル−１−プロパノール）等のような、アミン、を含む。このような、中和された酸性の基を含むモノマーの、利用されている全体のモノマーにおける、割合は、本明細書においては、「中和の程度」、と言う。この中和の程度は、好ましくは、９８％を超えない。
【０１５４】
本発明における使用に適している、ヒドロゲル形成用の高分子ゲル化剤は、当業界において良く知られており、例えば、１９７８年２月２８日に発行されている、マスダ（Masuda）他の、米国特許第４，０７６，６６３号、１９７７年１２月１３日に発行されている、ウエスターマン（Westerman）の、米国特許第４，０６２，８１７号、１９８１年８月２５日に発行されている、ツバキモト（Tsubakimoto）他の、米国特許第４，２８６，０８２号、１９９１年１０月２９日に発行されている、ゴールドマン（Goldman）他の、米国特許第５，０６１，２５９号、および１９８７年３月３１日に発行されている、ブラント（Brandt）他の、米国特許第４，６５４，０３９号、において、記載されており、これらのそれぞれは、全体として、参照により本明細書に組み込まれている。
【０１５５】
また、本発明における使用に適している、ヒドロゲル形成用の高分子ゲル化剤は、１９８８年３月１５日に発行されている、レ−クハック（Le-Khac）の、米国特許第４，７３１，０６７号、１９８８年５月１０日に発行されている、レ−クハック（Le-Khac）の、米国特許第４，７４３，２４４号、１９８９年３月２１に発行されている、レ−クハック（Le-Khac）の、米国特許第４，８１３，９４５号、１９８９年１１月１４日に発行されている、レ−クハック（Le-Khac）の、米国特許第４，８８０，８６８号、１９９０年１月９日に発行されている、レ−クハック（Le-Khac）の、米国特許第４，８９２，５３３号、１９９１年６月２５日に発行されている、レ−クハック（Le-Khac）の、米国特許第５，０２６，７８４号、１９９２年１月７日に発行されている、レ−クハック（Le-Khac）の、米国特許第５，０７９，３０６号、１９９２年９月２９日に発行されている米国特許第５，１５１，４６５号、１９８９年８月２９日に発行されている、アレン（Allen）、ファーラー（Farrer）、およびフレッシャー（Fresher）の、米国特許第４，８６１，５３９号、および１９９０年１０月９日に発行されている、アレン（Allen）、ファーラー（Farrer）、およびフレッシャー（Flesher）の、米国特許第４，９６２，１７２号、においても、記載されており、これらのそれぞれは、全体として、参照により本明細書に組み込まれている。
【０１５６】
粒子の形態の、適当なヒドロゲル形成用の高分子ゲル化剤は、ヘフスト・セラネーゼ・コーポレイション（Hoechst Celanese Corporation）、ポーツマス、バージニア州、米国、（サンウェット（Sanwet）（商標）、スーパーアブソーベント・ポリマーズ（Superabsorbent Polymers））、ニッポン・ショクバイ（Nippon Shokubai）、日本国、（アクアリック（Aqualic）（商標）、例えば、Ｌ−７５、Ｌ−７６）、およびダウ・ケミカル・カンパニー（Dow Chemical Company）、ミッドランド、ミシシッピー州、米国、（ドライ・テック（Dry Tech.）（商標））、から、市場において入手可能である。
【０１５７】
繊維の形態のヒドロゲル形成用の高分子ゲル化剤が、キャメロット・テクノロジーズ・インコーポレイテッド（Camelot Technologies Inc.）、レオミンスター、マサチューセッツ州、米国、（ファイバーソーブ（Fibersorb）（商標）、例えば、ＳＡ・７２００Ｈ、ＳＡ・７２００Ｍ、ＳＡ・７０００Ｌ、ＳＡ・７０００、およびＳＡ・７３００）から、市場において入手可能である。
【０１５８】
また、本発明の用品は、他の親水性のゲル化剤、も含有していてよい。例えば、これらは、１４０℃よりも低いＴｇを示すような、架橋の比較的に低い程度を有するものを除く、上記以外のものとしての、カルボン酸含有ポリマー、ならびに、セルロース・エーテル（例えば、ヒドロキシエチル・セルロース、メチル・セルロース、ヒドロキシ・プロピルメチル・セルロース）、ポリビニルピロリドン、ポリビニルアルコール、グアー・ガム、ヒドロキシプロピル・グアー・ガム、およびキサンタン・ガム、等のような、他の水溶性またはコロイド状で水溶性のポリマー、も含む。これらの付加的な親水性のゲル化剤の中において好ましいものは、酸含有のポリマー、特に、カルボン酸含有のポリマー、である。特に好ましいものは、多価アルコールのポリアルケニル・ポリエーテル、および随意に、アクリレート・エステルまたは多官能性のビニリデン・モノマー、と共に、架橋されている、アクリル酸の水溶性のポリマーを含むもの、である。
【０１５９】
本発明において有用な好ましいコポリマーは、９５〜９９重量％の、アクリル酸、メタクリル酸およびエタクリル酸、から成る群から選択される、オレフィンとして不飽和なカルボン酸モノマーと、約１〜約３．５重量パーセントの、以下の化学式のアクリレート・エステルであって、
【化７】
2008023327.tif 000009
この場合に、Ｒは１０〜３０個の炭素原子を含むアルキル・ラジカルであり、Ｒ1 は水素、メチルまたはエチルである、アクリレート・エステルと、０．１〜０．６重量パーセントの、分子当たりに２個以上のアルケニル・エーテル基を含む多価アルコールの、重合可能な架橋用のポリアルケニル・ポリエーテルであって、この親の多価アルコールは、少なくとも３個の炭素原子と、少なくとも３個の水酸基と、を含む、ポリアルケニル・ポリエーテルと、を含む、モノマーの混合物の、ポリマーである。
【０１６０】
好ましくは、上記ポリマーは、約９６〜約９７．９重量パーセントのアクリル酸と、約２．５〜約３．５重量パーセントのアクリル酸エステルであって、このアルキル基は１２〜２２個の炭素原子を含み、上記Ｒ1 はメチルであり、最も好ましくは、ステアリル・メタクリレートである、アクリレート・エステルと、を含んでいる。好ましくは、上記架橋用のポリアルケニル・ポリエーテルのモノマーの量は、約０．２〜約０．４重量パーセント、である。さらに、好ましい架橋用のポリアルケニル・ポリエーテル・モノマーは、アリル・ペンタエリスリトール、トリメチロールプロパン・ジアリルエーテルまたはアリル・スクロース、である。これらのポリマーは、フアング（Huang）他に、１９８５年、４月５日に発行されている、米国特許第４，５０９，９４９号に、完全に、記載されており、この特許は、参照により本明細書に組み込まれている。
【０１６１】
本発明において有用な別の好ましいコポリマーは、少なくとも２種類のモノマー成分を含有しているポリマーであり、その内の一方は、モノマーの、オレフィンとして不飽和なカルボン酸であり、他方は、多価アルコールのポリアルケニル・ポリエーテル、である。さらに付加的なモノマーの材料も、望ましい場合には、支配的な割合でさえも、上記モノマーの混合物の中に存在していてよい。
【０１６２】
上記カルボン酸のポリマーの製造において有用な第１のモノマー成分は、少なくとも１個の活性な炭素−炭素間のオレフィンの二重結合と、少なくとも１個のカルボキシル基と、を含む、オレフィンとして不飽和なカルボン酸、である。好ましいカルボン酸のモノマーは、以下の一般構造式を有するアクリル酸であり、
【化８】
2008023327.tif 000010
この場合に、Ｒ2 は、水素、ハロゲン、およびシアノゲン（−−Ｃ＝Ｎ）基、１価のアルキル・ラジカル、１価のアルキルアリール・ラジカル、および１価の脂環式ラジカル、から成る種類、から選択される、置換基である。この種類の中で、アクリル酸、メタクリル酸、エタクリル酸、が最も好ましい。また、別の有用なカルボン酸モノマーは、無水マレイン酸またはこの酸である。使用される酸の量は、約９５．５〜約９８．９重量パーセント、になる。
【０１６３】
上記カルボン酸のポリマーの製造において有用な、第２のモノマー成分は、オレフィンの二重結合が、末端のメチレン基（ＣＨ2 ＝Ｃ＜）に、結合して存在している、アルケニル基、等のような、分子当たりに２個以上のアルケニル・エーテル基を有するポリアルケニル・ポリエーテル、である。
【０１６４】
上記ポリマーの中に存在していてよい付加的なモノマー材料は、例えば、ブタジエン、イソプレン、ジビニル・ベンゼン、ジビニル・ナフタレン、アリル・アクリレート、等、を含む、少なくとも２個の末端のＣＨ2 ＜の基、を含んでいる、多官能性のビニリデン・モノマー、を含む。これらのポリマーは、ブラウン（Brown）に、１９５７年７月２日に発行されている、米国特許第２，７９８，０５３号に完全に記載されており、この特許文献は、全体として、参照により本明細書に組み込まれている。
【０１６５】
本発明において有用なカルボン酸のコポリマーの例は、カーボマー９３４、カーボマー９４１、カーボマー９５０、カーボマー９５１、カーボマー９５４、カーボマー９８０、カーボマー９８１、カーボマー１３４２、アクリレート／Ｃ１０−３０・アルキル・アクリレート・クロス・ポリマー（それぞれ、ビー・エフ・グッドリッチ（B. F. Goodrich）から、カルボポル９３４、カルボポル９４１、カルボポル９５０、カルボポル９５１、カルボポル９５４、カルボポル９８０、カルボポル９８１、カルボポル１３４２、およびペムレン（Pemulen）シリーズ、として、入手可能である）、を含む。
【０１６６】
本発明において有用な、別のカルボン酸のコポリマーは、ホスタセレン・ＰＮ７３（Hostaceren PN73）の商品名で、ヘフスト・セラネーゼ・コーポレイション（Hoechst Celanese Corporation）により、販売されている、アクリル酸／アクリルアミドのコポリマーのナトリウム塩、を含む。同様に含まれるものは、ハイパン（HYPAN）ヒドロゲルの商品名で、リポ・ケミカルズ・インコーポレイテッド（Lipo Chemicals Inc.）により、販売されているヒドロゲル・ポリマー、である。これらのヒドロゲルは、カルボキシル、アミド、およびアミジン、等のような、種々の別の付属の基を伴う、Ｃ−Ｃの主鎖における、硝酸エステルの結晶性のプリック（plicks）により、構成されている。この一例は、リポ・ケミカル（Lipo Chemical）から入手可能なポリマー粉末である、ハイパン・ＳＡ・１００Ｈ、を含むであろう。
【０１６７】
上記のポリマーの酸性の基を中和することにおける使用のための中和剤は、既に記載されているものを含む。
【０１６８】
＜カチオン性の界面活性剤＞
カチオン性の界面活性剤は、典型的には、非泡立て用の界面活性剤として分類されるが、それらが、上記用品の所望の有益な効果に、否定的に影響しない限りにおいて、本発明の用品の中において、使用できる。
【０１６９】
本明細書において有用な、カチオン性の界面活性剤の非限定的な例は、アルアド・パブリッシュイング・コーポレイション（Allured Publishing Corporation）により出版されている、マックカッチェオンズ，ディタージェンツ・アンド・エマルジファイアズ，ノース・アメリカン・エディション（McCutcheon's, Detergents and Emulsifiers, North American Edition）（１９８６年）、および、マックカッチェオンズ，ファンクショナル・マテリアルズ，ノース・アメリカン・エディション（McCutcheon's Functional Materials, North American Edition）（１９９２年）、に開示されており、これらは共に全体として、参照により本明細書に組み込まれている。
【０１７０】
本明細書において有用な、カチオン性の界面活性剤の非限定的な例は、以下の化学式を有するもの、等のような、カチオン性のアルキル・アンモニウム塩、を含む。
2008023327.tif 000011
この場合に、Ｒ1 は、約１２個〜約１８個の炭素原子を有するアルキル基、または約１２個〜約１８個の炭素原子を有する芳香族基、アリール基またはアルキルアリール基、から選択され、Ｒ2 、Ｒ3 、およびＲ4 は、水素、約１個〜約１８個の炭素原子を有するアルキル基、約１２個〜約１８個の炭素原子を有する芳香族基、アリール基またはアルキルアリール基、から、独立して、選択され、Ｘは、塩化物、臭化物、ヨウ化物、アセテート、ホスフェート、ナイトレート、サルフェート、メチル・サルフェート、エチル・サルフェート、トシレート、ラクテート、シトレート、グリコレート、およびこれらの混合物、から選択される、アニオンである。加えて、上記のアルキル基は、エーテル結合、またはヒドロキシ基またはアミノ基の置換基、も含んでいてよい（例えば、このアルキル基は、ポリエチレン・グリコールおよびポリプロピレン・グリコール、の部分を含むことができる）。
【０１７１】
さらに好ましくは、上記Ｒ1 は、約１２個〜約１８個の炭素原子を有するアルキル基、であり、Ｒ2 は、Ｈまたは約１個〜約１８個の炭素原子を有するアルキル基、から選択され、Ｒ3 およびＲ4 は、Ｈまたは約１個〜約３個の炭素原子を有するアルキル基、から独立して選択され、Ｘは、上段において記載されているようなもの、である。
【０１７２】
最も好ましくは、Ｒ1 は、約１２個〜約１８個の炭素原子を有するアルキル基、であり、Ｒ2 、Ｒ3 、およびＲ4 は、Ｈまたは約１個〜約３個の炭素原子を有するアルキル基、から選択され、Ｘは既に、説明されているようなもの、である。
【０１７３】
あるいは、別の有用なカチオン性の界面活性剤は、アミノ−アミド、を含み、この場合に、上記の構造Ｒ1 は、代わりに、Ｒ5 ＣＯ−（ＣＨ2 ）n −、であり、この場合に、Ｒ5 は、約１２個〜約２２個の炭素原子を有するアルキル基であり、ｎは、約２〜約６、さらに好ましくは、約２〜約４、最も好ましくは、約２〜約３、の整数である。これらのカチオン性の乳化剤の非限定的な例は、ステアラミドプロピル・ＰＧ−ジモニウム・クロリド・ホスフェート、ステアラミドプロピル・エチルジモニウム・エトサルフェート、ステアラミドプロピル・ジメチル（ミリスチル・アセテート）・アンモニウム・クロリド、ステアラミドプロピル・ジメチル・セテアリール・アンモニウム・トシレート、ステアラミドプロピル・ジメチル・アンモニウム・クロリド、ステアラミドプロピル・ジメチル・アンモニウム・ラクテート、およびこれらの混合物、を含む。
【０１７４】
第四級アンモニウム塩のカチオン性の界面活性剤の非限定的な例は、セチル・アンモニウム・クロリド、セチル・アンモニウム・ブロミド、ラウリル・アンモニウム・クロリド、ラウリル・アンモニウム・ブロミド、ステアリル・アンモニウム・クロリド、ステアリル・アンモニウム・ブロミド、セチル・ジメチル・アンモニウム・クロリド、セチル・ジメチル・アンモニウム・ブロミド、ラウリル・ジメチル・アンモニウム・クロリド、ラウリル・ジメチル・アンモニウム・ブロミド、ステアリル・ジメチル・アンモニウム・クロリド、ステアリル・ジメチル・アンモニウム・ブロミド、セチル・トリメチル・アンモニウム・クロリド、セチル・トリメチル・アンモニウム・ブロミド、ラウリル・トリメチル・アンモニウム・クロリド、ラウリル・トリメチル・アンモニウム・ブロミド、ステアリル・トリメチル・アンモニウム・クロリド、ステアリル・トリメチル・アンモニウム・ブロミド、ラウリル・ジメチル・アンモニウム・クロリド、ステアリル・ジメチル・セチル・ジタロウ・ジメチル・アンモニウム・クロリド、ジセチル・アンモニウム・クロリド、ジセチル・アンモニウム・ブロミド、ジラウリル・アンモニウム・クロリド、ジラウリル・アンモニウム・ブロミド、ジステアリル・アンモニウム・クロリド、ジステアリル・アンモニウム・ブロミド、ジセチル・メチル・アンモニウム・クロリド、ジセチル・メチル・アンモニウム・ブロミド、ジラウリル・メチル・アンモニウム・クロリド、ジラウリル・メチル・アンモニウム・ブロミド、ジステアリル・メチル・アンモニウム・クロリド、ジステアリル・ジメチル・アンモニウム・クロリド、ジステアリル・メチル・アンモニウム・ブロミド、およびこれらの混合物、から成る群から選択されるもの、を含む。付加的な第四級アンモニウムの塩は、Ｃ１２〜Ｃ２２のアルキルの炭素鎖が、タロウ脂肪酸から、あるいは、ココナッツ脂肪酸から、誘導されている、もの、を含む。上記用語の「タロウ」は、タロウ脂肪酸（通常において、水素添加されているタロウ脂肪酸）から誘導されているアルキル基、を言い、これらのタロウ脂肪酸は、一般に、Ｃ１６〜Ｃ１８の範囲内の、アルキル鎖の混合物、を有している。また、用語の「ココナッツ」は、ココナッツ脂肪酸から誘導されているアルキル基、を言い、これらのココナッツ脂肪酸は、一般に、Ｃ１２〜Ｃ１４の範囲内の、アルキル鎖の混合物、を有している。上記のタロウおよびココナッツの供給源から誘導されている第四級アンモニウム塩の例は、ジタロウ・ジメチル・アンモニウム・クロリド、ジタロウ・ジメチル・アンモニウム・メチル・サルフェート、ジ（ヒドロゲネーテド・タロウ）・ジメチル・アンモニウム・クロリド、ジ（ヒドロゲネーテド・タロウ）・ジメチル・アンモニウム・アセテート、ジタロウ・ジプロピル・アンモニウム・ホスフェート、ジタロウ・ジメチル・アンモニウム・ナイトレート、ジ（ココナッツアルキル）ジメチル・アンモニウム・クロリド、ジ（ココナッツアルキル）ジメチル・アンモニウム・ブロミド、タロウ・アンモニウム・クロリド、ココナッツ・アンモニウム・クロリド、ステアラミドプロピル・ＰＧ−ジモニウム・クロリド・ホスフェート、ステアラミドプロピル・エチルジモニウム・エトサルフェート、ステアラミドプロピル・ジメチル（ミリスチル・アセテート）・アンモニウム・クロリド、ステアラミドプロピル・ジメチル・セテアリル・アンモニウム・トシレート、ステアラミドプロピル・ジメチル・アンモニウム・クロリド、ステアラミドプロピル・ジメチル・アンモニウム・ラクテート、およびこれらの混合物、を含む。
【０１７５】
本明細書において有用な、好ましいカチオン性の界面活性剤は、ジラウリル・ジメチル・アンモニウム・クロリド、ジステアリル・ジメチル・アンモニウム・クロリド、ジミリスチル・ジメチル・アンモニウム・クロリド、ジパルミチル・ジメチル・アンモニウム・クロリド、ジステアリル・ジメチル・アンモニウム・クロリド、およびこれらの混合物、から成る群、から選択されるもの、を含む。
【０１７６】
＜キレーター＞
本発明の用品は、安全で有効な量のキレーターまたはキレート化剤、も含有していてよい。本明細書において用いられる場合に、「キレーター」または「キレート化剤」は、金属イオンが、化学反応において容易に析出できなくなるか、化学反応に触媒作用を及ぼすことができなくなるように、錯体を形成することにより、一定の系から、金属イオンを除去できる活性物質、を意味する。キレート化剤を含むことは、皮膚の損傷を引き起こす可能性のある、過度の鱗屑発生または皮膚組織の変化、およびその他の環境的な物質、に起因する可能性のある、ＵＶ放射、に対して、保護を与えるために、特に有用である。
【０１７７】
本発明において有用である、例示的なキレーターは、ビセット（Bissett）他に、１９９６年１月３０日に発行されている、米国特許第５，４８７，８８４号、１９９５年、１０月３１日に公開されている、ブッシュ（Bush）他の、国際公開第９１／１６０３５号、および１９９５年１０月３１日に公開されている、ブッシュ（Bush）他の、国際公開第９１／１６０３４号、において開示されている。
【０１７８】
＜フラボノイド＞
本発明の用品は、フラボノイド化合物、を随意に含有していてよい。フラボノイドは、米国特許第５，６８６，０８２号および同第５，６８６，３６７号において、広く開示されており、これらは共に、参照により本明細書に組み込まれている。本発明における使用に適しているフラボノイドは、無置換型フラバノン、モノ−置換型フラバノン、およびこれらの混合物、から成る群、から選択されるフラバノンと、無置換型カルコン、モノ−置換型カルコン、ジ−置換型カルコン、トリ−置換型カルコン、およびこれらの混合物、から成る群から選択されるカルコンと、無置換型フラボン、モノ−置換型フラボン、ジ−置換型フラボン、およびこれらの混合物、から成る群から選択されるフラボンと、１種類以上のイソフラボンと、無置換型クマリン、モノ−置換型クマリン、ジ−置換型クマリン、およびこれらの混合物、から成る群から選択されるクマリンと、無置換型クロモン、モノ−置換型クロモン、ジ−置換型クロモン、およびこれらの混合物、から成る群から選択されるクロモンと、１種類以上のジクマロールと、１種類以上のクロマノンと、１種類以上のクロマノールと、これらの異性体（例えば、シス形/トランス形の異性体）、およびこれらの混合物、である。なお、用語の「置換型」とは、本明細書において用いられる場合に、フラボノイドの１個以上の水素原子が、ヒドロキシル、Ｃ１〜Ｃ８のアルキル、Ｃ１〜Ｃ４のアルコキシル、Ｏ−グリコシド、等、またはこれらの置換基の混合物、により、置換されている、フラボノイド、を意味する。
【０１７９】
適当なフラボノイドの例は、無置換型フラバノン、モノ−ヒドロキシル・フラバノン（例えば、２’−ヒドロキシル・フラバノン、６−ヒドロキシル・フラバノン、７−ヒドロキシル・フラバノン、等）、モノ−アルコキシ・フラバノン（例えば、５−メトキシ・フラバノン、６−メトキシ・フラバノン、７−メトキシ・フラバノン、４’−メトキシ・フラバノン、等）、無置換型カルコン（特に、無置換型トランス−カルコン）、モノ−ヒドロキシ・カルコン（例えば、２’−ヒドロキシ・カルコン、４’−ヒドロキシ・カルコン、等）、ジ−ヒドロキシ・カルコン（例えば、２’，４−ジヒドロキシ・カルコン、２’，４’−ジヒドロキシ・カルコン、２，２’−ジヒドロキシ・カルコン、２’，３−ジヒドロキシ・カルコン、２’，５’−ジヒドロキシ・カルコン、等）、およびトリ−ヒドロキシ・カルコン（例えば、２’，３’，４’−トリヒドロキシ・カルコン、４，２’，４’−トリヒドロキシ・カルコン、２，２’，４’−トリヒドロキシ・カルコン、等）、無置換型フラボン、７，２’−ジヒドロキシ・フラボン、３’，４’−ジヒドロキシ・ナフトフラボン、４’−ヒドロキシ・フラボン、５，６−ベンゾフラボン、および７，８−ベンゾフラボン、無置換型イソフラボン、ダイドゼイン（７，４’−ジヒドロキシ・イソフラボン）、５，７−ジヒドロキシ−４’−メトキシ・イソフラボン、ダイズ・イソフラボン（ダイズから抽出される混合物）、無置換型クマリン、４−ヒドロキシ・クマリン、７−ヒドロキシ・クマリン、６−ヒドロキシ−４−メチル・クマリン、無置換型クロモン、３−ホルミル・クロモン、３−ホルミル−６−イソプロピル・クロモン、無置換型ジクマロール、無置換型クロマノン、無置換型クロマノール、およびこれらの混合物、を含むが、これらに限定されない。
【０１８０】
本明細書における使用において好ましいものは、無置換型フラバノン、メトキシ・フラバノン、無置換型カルコン、２’，４−ジヒドロキシ・カルコン、およびこれらの混合物、である。最も好ましいものは、無置換型フラバノン、無置換型カルコン（特に、トランス形の異性体）およびこれらの混合物、である。
【０１８１】
上記の材料は合成の材料であってもよく、あるいは、天然の供給源（例えば、植物）からの抽出物として、得てもよい。この天然の供給源からの材料はさらに誘導することも可能である（例えば、天然の供給源からの抽出の後に調製される、グリコシド、エステルまたはエーテル、の誘導体）。本発明において有用なフラボノイド化合物は、例えば、インドファイン・ケミカル・カンパニー，インコーポレイテッド（Indofine Chemical Company, Inc.）（ソマービル，ニュージャージー州）、ステラロイズ，インコーポレイテッド（Steraloids, Inc.）（ウィルトン、ニュー・ハンプシャー州）、およびアルドリッチ・ケミカル・カンパニー・インコーポレイテッド（Aldrich Chemical Company, Inc.）（ミルウォーキー、ウィスコンシン州）等の、多数の供給元から、市場において入手可能である。
【０１８２】
また、上記のフラボノイド化合物の混合物も使用可能である。
【０１８３】
＜ステロール＞
本発明の用品は、安全で有効な量の１種類以上のステロール化合物、を含有していてよい。有用なステロール化合物の例は、シトステロール、スティグマステロール、カンペステロール、ブラシカステロール、ラノステロール、７−デヒドロコレステロール、およびこれらの混合物、を含む。なお、これらは、もともと、合成であってよく、例えば、植物の供給源から抽出される混合物（例えば、フィトステロール）などの、天然の供給源からのものであってもよい。
【０１８４】
＜抗セルライト剤＞
本発明の用品は、安全で有効な量の抗セルライト剤、も含有していてよい。適当な物質は、キサンチン化合物（例えば、カフェイン、テオフィリン、テオブロミン、およびアミノフィリン）、を含むが、これらに限定されない。
【０１８５】
＜皮膚白化剤＞
本発明の用品は、皮膚白化剤、を含有していてよい。適当な皮膚白化剤は、コウジ酸、アルブチン、アスコルビン酸、およびこれらの誘導体、例えば、マグネシウム・アスコルビル・ホスフェートまたはナトリウム・アスコルビル・ホスフェートまたはその他のアスコルビル・ホスフェートの塩、を含む、当業界において知られているもの、を含む。本発明における使用に適している皮膚白化剤は、１９９５年６月１２日に出願されている、ＰＣＴ出願第Ｕ．Ｓ．９５／０７４３２号、に相当している、ヒルブランド（Hillebrand）により、１９９５年６月７日に出願されている、同時係属の特許出願第０８／４７９，９３５号と、１９９５年３月１日に出願されていて、１９９５年９月８日に公開されている、ＰＣＴ出願第Ｕ．Ｓ．９５／０２８０９号、に相当している、カラ・エル・クバルネス（Kalla L. Kvalnes）、ミッチェル・エー・デロング（Mitchell A. Delong）、バートン・ジェイ・ブラッドベリー（Barton J. Bradbury）、カーチス・ビー・モットレイ（Curtis B. Motley）、およびジョン・ディー・カーター（John D. Carter）により、１９９５年２月２４日に出願されている、同時係属の特許出願第０８／３９０，１５２号と、に記載されているもの、も含む。
【０１８６】
上記の用品は、加熱または冷却効果をそれぞれもたらす発熱系または吸熱系に基づいた、加熱および／または冷却要素を随意に含んでいてよい。これらの系は、例えば、無水反応、溶液の熱、酸化反応、結晶化、合金のコロイド化、ゼオライトの液体系、および／または、中和熱、による、加熱または冷却、を含んでよい。
【０１８７】
＜皮膚を治療する方法＞
本発明は皮膚を治療する方法にも関連している。
【０１８８】
一実施形態において、皮膚は、第１の面と、第２の面と、エッジ部と、を備えている、スキン・トリートメント用品を用いて、治療され、上記第１の面は、上記エッジ部の相互間に延在している複数の線、を含み、これらの線は、約０．１〜２ｍｍ、の太さと、約１〜２０ｍｍ、の間隔と、を有しており、上記方法は、（ｉ）皮膚との所望の接触角度に、上記の線を調節するために、上記スキン・トリートメント用品を回転させる工程と、（ｉｉ）上記第１の面に皮膚を接触させる工程と、（ｉｉｉ）上記第２の面に皮膚を接触させる工程と、を含んでいる。
【０１８９】
また、別の実施形態において、皮膚は、第１の繊維質の層およびクレンジング用の配合物を含む第１の面と、第２の繊維質の層を含む第２の面と、エッジ部と、を備えている、スキン・トリートメント用品であって、上記第１の面は、上記エッジ部の相互間に延在している複数の線、を含み、これらの線は、約０．１〜２ｍｍの太さと、約１〜２０ｍｍの間隔と、を有している、スキン・トリートメント用品、を用いて、治療され、上記方法は、（ｉ）皮膚または上記第１の面を湿らせる工程と、（ｉｉ）皮膚との所望の接触角度に、上記の線を調節するために、上記スキン・トリートメント用品を回転させる工程と、（ｉｉｉ）上記第１の面に皮膚を接触させて、これにより、皮膚を浄化する工程と、（ｉｖ）上記第２の面に皮膚を接触させる工程と、を含んでいる。
【０１９０】
上述のように、上記第１および第２の繊維質の層の、いずれか、または、両方は、１種類以上の付加的なスキン・トリートメント用の配合物を含有していてもよく、これにより、付加的な皮膚の治療を使用者に与えることができる。
【０１９１】
また、使用者は、上記第１の面との接触と、上記第２の面との接触と、の間に、上記スキン・トリートメント用品を、随意にすすぐこともできる。
【０１９２】
また、使用者は、上記第１または第２の面、あるいは、これらの両方を、随意に湿らせることも可能である。
【０１９３】
使用するスキン・トリートメント用の用品により、上記方法は、例えば、サリチル酸等の、特定の物質が皮膚の上に、結果として残されてもよい。
【０１９４】
上記用品は、水により活性化されてもよく、それゆえ、使用の前に、水により湿らせることを意図してもよい。本明細書において用いられる場合に、「水により活性化させる」は、本発明が、水により湿らせた後で使用するような、乾燥した形態で、消費者に提供されること、を意味する。本発明の用品が泡立て用の界面活性剤を含む場合に、この用品は泡を生じるか、水に接触してさらにかき混ぜると、「活性化される」こと、が分かっている。したがって、上記用品は、水中における浸漬または水流下に置かれた繊維質の層により、湿らせることが可能である。また、上記用品が泡立て用の界面活性剤を含む場合に、泡は、上記用品と皮膚との接触前または接触の間に、用品を機械的に動かすか、かつ／または、変形させること、により、その用品から発生させることができる。この結果として生じる泡は、皮膚を浄化するために有用である。
【０１９５】
実施例１
本発明によるスキン・トリートメント用品の調製
接着剤の、フラー・７４７１Ｗ（Fuller 7471W）を、固体の形態で、ホット・メルト・ユニット（ノードソン・シリーズ３４００（Nordson Series 3400））の加熱された保持タンクの中に入れて、およそ３００〜３５０°Ｆ（１４９〜１７７℃）で、液体に溶解させた。次に、加熱されたホット・メルト・ホースを上記のホット・メルト・ユニットに取り付け、さらに、別の端部を、加熱されたノードソン・ユニバーサル・ホット・メルト・アプリケーション・ヘッド・モデル（Nordson Universal hot melt application head model）（品番：ＵＭＥ０８−Ｔ２ＶＩＭＥ）に取り付けた。このユニバーサル・ヘッドは、６個の個別の０．０１２インチ（０．３ｍｍ）のノズル先端部分、を収容していた。これらのヘッドおよびホースを、上記の接着剤と同じ温度の範囲まで、加熱した。
【０１９６】
ラミネーターを利用して、下地（ヤコブ・ホルム（Jacob Holm）、７５ｇｓｍのスパンレース）をほどいて、上記アプリケーション・ヘッドの下を直に通して、巻き戻し用のマンドレルの上に配置した。さらに、このラミネーターのウェブ速度を、５０フィート（１５．２ｍ）／分、に設定した。開始時に、上記下地をほどいて、接着剤を、タンクから上記ホースとヘッドを通して、ポンプ輸送し、移動している下地の上に付着させた。また、旋回作用により、重力による流れを介して、波形の線を得るために、十分な高さにおいて、ホット・メルト材をホット・メルト・ヘッド・ノズルまで、ポンプ輸送した。
【０１９７】
次に、３０ポンド（１３．６３ｋｇ）／剥離紙であって、シリコーン処理した面がウェブに向いているものを、上記の接着剤被覆された下地が巻き戻される時に、その下地の上に配置した。このことは、上記下地がそれ自体の上に巻き付けられる際の、まだ暖かくて柔らかい波形の線のはりつきを防いでおり、上記下地自体の巻き付けは、補助的な冷却の代わりである。
【０１９８】
実施例２
本発明によるスキン・トリートメント用品の調製
一片の上記実施例１のスパンレース材料と、二片の、２５ｇｓｍの、サーマルボンド・ポリプロピレン（ＴＢＰＰ）／４０・ヘックス・フィルム・バキュアム・フォームド・ラミネート（トレデガー（Tredegar））と、一片の、１４０ｇｓｍの、７０／３０のポリエステル／レーヨンと、を８個のうねのパタン（ＰＧＩ）で、切り出すために、スチール・ルール・ダイを用いた。この場合に、上記のスパンレース材料を、ＴＢＰＰ面が外側に向いている状態で、一片の上記ラミネートに重ねてそろえて並べた。次に、周囲を、適当な圧力と、３００°Ｆ（１４９℃）と、６秒の滞留時間と、に設定されている器具を伴う、プレスを用いて、封じた。その後、上記ポリエステル／レーヨンの材料を、同様にＴＢＰＰ面が外側に向いている状態で、上記ラミネートの残りの片とそろえて並べた。さらに、周囲を、既述と同じ条件下で、封じた。次に、これら二つの結果として得られた材料片を、ラミネートの面が内側を向いている状態で、重ねてそろえて並べた。さらに、周囲のおよそ２／３を、前と同じ条件により、プレスを用いて封じて、一端部に開口部を残した。
【０１９９】
〔実施の態様〕
（１）スキン・トリートメント用品において、
第１の面と、
第２の面と、
エッジ部と、
を備えており、
前記第１の面は、前記エッジ部の相互間に延在している複数の線を含み、
これらの線は、約０．１〜２ｍｍの太さと、約１〜２０ｍｍの間隔と、を有している、用品。
（２）実施態様１に記載の用品において、
前記線は、平行である、用品。
（３）実施態様１に記載の用品において、
前記線は、真っ直ぐである、用品。
（４）実施態様１に記載の用品において、
前記線は、波形である、用品。
（５）実施態様１に記載の用品において、
前記線は、０．１〜１ｍｍの高さを有している、用品。
【０２００】
（６）実施態様４に記載の用品において、
前記線は、２〜２０ｍｍの繰り返し部分を有している、用品。
（７）実施態様４に記載の用品において、
前記線は、１〜６ｍｍの振幅を有している、用品。
（８）実施態様１に記載の用品において、
前記第１の面は、第１の繊維質の層の外表面であり、
前記第２の面は、第２の繊維質の層の外表面である、用品。
（９）実施態様８に記載の用品において、
前記第１の繊維質の層は、第１のスキン・トリートメント用の配合物を含み、
前記第２の繊維質の層は、第２のスキン・トリートメント用の配合物を含む、用品。
（１０）実施態様９に記載の用品において、
前記第１および第２のスキン・トリートメント用の配合物は、クレンジング用配合物、コンディショニング用配合物、抗アクネ用配合物、加湿用配合物、しわ防止用配合物、抗菌性配合物、抗真菌性配合物、抗炎症性配合物、局所麻酔用配合物、人工日焼け用配合物、促進剤配合物、抗ウイルス性配合物、酵素配合物、サンスクリーン配合物、抗酸化薬配合物、皮膚剥離用配合物、脱毛剤配合物、およびこれらの混合物、から選択される、用品。
【図面の簡単な説明】
【０２０１】
【図１】本発明による、スキン・トリートメント用品の、正面図である。
【図２】本発明による、別のスキン・トリートメント用品の、正面図である。
【図３】図１のスキン・トリートメント用品の側面図である。
【図４】図１のスキン・トリートメント用品の後面図である。
【図５】本発明による、波形の線を描いている図である。
【図１】
2008023327.tif 000012
【図２】
2008023327.tif 000013
【図３】
2008023327.tif 000014
【図４】
2008023327.tif 000015
【図５】
2008023327.tif 000016
【外国語明細書】
2008023327000001.pdf